(57)【特許請求の範囲】
【請求項１】
一以上の移動端末と、
夫々が前記移動端末と無線通信を行う第１無線アクセス局及び第２無線アクセス局と
を備えており、
前記第１無線アクセス局は、
前記第１無線アクセス局の有する情報を要求する情報取得要求であって前記第２無線アクセス局から送信される情報取得要求を、前記移動端末のいずれかである第１移動端末を介して受信する第１受信部と、
前記情報取得要求に基づき、前記第２無線アクセス局に対して、前記移動端末のいずれかである第２移動端末を介して前記情報を送信する第１送信部と、
を備え、
前記第２無線アクセス局は、
前記第１移動端末に、前記第１無線アクセス局に対する前記情報取得要求を送信する第２送信部と、
前記第２移動端末を介して、前記第１無線アクセス局から送信される前記情報を受信する第２受信部と、
前記第２受信部が受信した前記情報に対して所定のデータ処理を施す信号処理部と、
前記データ処理が施された前記情報の提供を行う情報提供部と
を備えることを特徴とする無線通信システム。
【請求項２】
前記第１無線アクセス局は、自身がカバーする第１カバーエリア内に位置する前記移動端末と無線通信を行い、
前記第２無線アクセス局は、自身がカバーする第２カバーエリア内に位置する前記移動端末と無線通信を行い、
前記第１送信部は、前記第１カバーエリア内に位置する前記第２移動端末に対して前記情報を送信することで、前記第２移動端末を介して、前記第２無線アクセス局に対して前記情報を送信し、
前記第２受信部は、前記第２カバーエリア内に位置する前記第２移動端末であって且つ前記第１無線アクセス局から前記情報の送信を受けた前記第２移動端末から前記情報を受信することで、前記第２移動端末を介して、前記第１無線アクセス局から送信される情報を受信することを特徴とする請求項１に記載の無線通信システム。
【請求項３】
一以上の移動端末と、
夫々が前記移動端末と無線通信を行う第１無線アクセス局及び第２無線アクセス局と
を備えており、
前記第１無線アクセス局は、
前記第２無線アクセス局に対して、前記第１無線アクセス局の有する情報を前記第２無線アクセス局が情報提供することを要求する情報提供要求を、前記移動端末のいずれかである第１移動端末を介して送信する第１送信部と、
前記情報提供要求に基づき、前記第２無線アクセス局に対して、前記移動端末のいずれかである第２移動端末を介して前記情報を送信する第２送信部と、
を備え、
前記第２無線アクセス局は、
前記第１移動端末を介して、前記第１無線アクセス局から送信される前記情報提供要求を受信する第１受信部と、
前記情報提供要求に基づき、前記第２移動端末を介して、前記第１無線アクセス局から送信される前記情報を受信する第２受信部と、
前記第２受信部が受信した前記情報に対して所定のデータ処理を施す信号処理部と、
前記データ処理が施された前記情報の提供を行う情報提供部と
を備えることを特徴とする無線通信システム。
【請求項４】
前記第１無線アクセス局は、自身がカバーする第１カバーエリア内に位置する前記移動端末と無線通信を行い、
前記第２無線アクセス局は、自身がカバーする第２カバーエリア内に位置する前記移動端末と無線通信を行い、
前記第２送信部は、前記第１カバーエリア内に位置する前記第２移動端末に対して前記情報を送信することで、前記第２移動端末を介して、前記第２無線アクセス局に対して前記情報を送信し、
前記第２受信部は、前記第２カバーエリア内に位置する前記第２移動端末であって且つ前記第１無線アクセス局から前記情報の送信を受けた前記第２移動端末から前記情報を受信することで、前記第２移動端末を介して、前記第１無線アクセス局から送信される情報を受信することを特徴とする請求項３に記載の無線通信システム。
【請求項５】
前記情報提供部は、前記データ処理が施された前記情報を前記第２カバーエリア内にブロードキャストすることを特徴とする請求項２又は４に記載の無線通信システム。
【請求項６】
複数の前記第１無線アクセス局を備え、
前記第２受信部は、前記複数の第１無線アクセス局の夫々から送信される前記情報を受信し、
前記情報提供部は、前記複数の第１無線アクセス局の夫々から受信した前記情報をまとめて提供することを特徴とする請求項１から５のいずれか一項に記載の無線通信システム。
【請求項７】
前記第２無線アクセス局は、前記移動端末から送信される情報に基づいて、前記第２無線アクセス局と前記移動端末を介して情報を送受信可能な、前記第１無線アクセス局を含む周辺の他の無線アクセス局を認識する認識部を更に備えることを特徴とする請求項１から６のいずれか一項に記載の無線通信システム。
【請求項８】
前記第１無線アクセス局は、前記移動端末から送信される情報に基づいて、前記第１無線アクセス局と前記移動端末を介して情報を送受信可能な、前記第２無線アクセス局を含む周辺の他の無線アクセス局を認識する認識部を更に備えることを特徴とする請求項１から７のいずれか一項に記載の無線通信システム。
【請求項９】
前記移動端末は、
前記第１無線アクセス局から送信される前記情報を受信する端末側受信部と、
前記端末側受信部が前記受信した情報を前記第２無線アクセス局に送信する端末側送信部と
を備えることを特徴とする請求項１から８のいずれか一項に記載の無線通信システム。
【請求項１０】
一以上の移動端末と、夫々が前記移動端末と無線通信を行う複数の無線アクセス局を備えた無線通信システムにおける無線アクセス局において、
他の無線アクセス局の有する情報を要求する情報取得要求を、前記移動端末のいずれかである第１移動端末に送信する送信部と、
前記情報取得要求に基づき、前記移動端末のいずれかである第２移動端末を介して、前記他の無線アクセス局から送信される前記情報を受信する受信部と、
前記受信部が受信した前記情報に対して所定のデータ処理を施す信号処理部と、
前記データ処理が施された前記情報の提供を行う情報提供部と
を備えることを特徴とする無線アクセス局。
【請求項１１】
一以上の移動端末と、夫々が前記移動端末と無線通信を行う複数の無線アクセス局を備えた無線通信システムにおける無線アクセス局において、
前記移動端末のいずれかである第１移動端末を介して、他の無線アクセス局の有する情報を当該無線アクセス局が情報提供することを要求する情報提供要求であって且つ前記他の無線アクセス局から送信される情報提供要求を受信する第１受信部と、
前記情報提供要求に基づき、前記移動端末のいずれかである第２移動端末を介して、前記他の無線アクセス局から送信される前記情報を受信する第２受信部と、
前記第２受信部が受信した前記情報に対して所定のデータ処理を施す信号処理部と、
前記データ処理が施された前記情報の提供を行う情報提供部と
を備えることを特徴とする無線アクセス局。
【請求項１２】
一以上の移動端末と、
夫々が前記移動端末と無線通信を行う第１無線アクセス局及び第２無線アクセス局と
を備えている無線通信システムにおける通信方法であって、
前記移動端末のいずれかである第１移動端末を介して、前記第１無線アクセス局の有する情報を要求する情報取得要求が、前記第２無線アクセス局から前記第１無線アクセス局に対して送信され、
前記第１移動端末を介して、前記情報取得要求が前記第１無線アクセス局によって受信され、
受信された前記情報取得要求に基づき、前記移動端末のいずれかである第２移動端末を介して、前記第１無線アクセス局から前記第２無線アクセス局に対して前記情報が送信され、
前記第２移動端末を介して、前記第１無線アクセス局から送信される前記情報が前記第２無線アクセス局によって受信され、
前記第２無線アクセス局によって、受信した前記情報に対して所定のデータ処理が施され、
前記第２無線アクセス局によって、前記データ処理が施された前記情報が提供される
ことを特徴とする通信方法。
【請求項１３】
一以上の移動端末と、
夫々が前記移動端末と無線通信を行う第１無線アクセス局及び第２無線アクセス局と
を備えている無線通信システムにおける通信方法であって、
前記移動端末のいずれかである第１移動端末を介して、前記第１無線アクセス局の有する情報を前記第２無線アクセス局が情報提供することを要求する情報提供要求が、前記第１無線アクセス局から前記第２無線アクセス局に対して送信され、
前記第１移動端末を介して、前記情報提供要求が前記第２無線アクセス局によって受信され、
送信された前記情報取得要求に基づき、前記移動端末のいずれかである第２移動端末を介して、前記第１無線アクセス局から前記第２無線アクセス局に対して前記情報が送信され、
前記第２移動端末を介して、前記第１無線アクセス局から送信される前記情報が前記第２無線アクセス局によって受信され、
前記第２無線アクセス局によって、受信した前記情報に対して所定のデータ処理が施され、
前記第２無線アクセス局によって、前記データ処理が施された前記情報が提供される
ことを特徴とする通信方法。
【発明の詳細な説明】
【技術分野】
【０００１】
本発明は、例えば移動端末と無線通信を行う無線アクセス局、無線アクセス局を備える無線通信システム、及び無線通信システムにおける通信方法の技術分野に関する。
【背景技術】
【０００２】
携帯電話システム等の無線通信システムでは、無線基地局は、自身がカバーしている通信エリア（例えば、セルないしはセクタ）内に位置する移動端末との間で無線通信を行う。このような無線通信システムの利用態様の一例として、無線基地局が、自身がカバーしている通信エリア内に位置する多数の移動端末に対して所定の情報をブロードキャストする利用態様がある。例えば、無線基地局が山間部の山麓付近に設置されている例では、無線基地局は、山間部の山頂ないしは峠付近に設置されている気象センサによって測定される気象情報を有線のネットワークを介して収集すると共に、当該収集した情報をブロードキャストする利用態様が想定される。その結果、山麓から山頂付近に向かう峠道を通過する移動端末は、山頂付近の気象情報を山麓付近で取得することができる。このようなブロードキャストは、例えば、局所的な情報（言い換えれば、ローカルな情報ないしは対象範囲が相対的に狭い情報）を移動端末に対して送信する場合に適用される傾向が強い。
【先行技術文献】
【特許文献】
【０００３】
【特許文献１】特開２００８−１６９９０号公報
【特許文献２】特開２００２−２７１２５７号公報
【特許文献３】特開２００５−５１６５０９号公報
【発明の概要】
【発明が解決しようとする課題】
【０００４】
しかしながら、例えばマクロセル等をカバーする広域の無線基地局から局所的な情報をブロードキャストすると、当該局所的な情報が要求されない範囲にまで不必要にブロードキャストしてしまいかねない。加えて、ブロードキャストする情報を無線基地局が収集するためには、上述したように有線の専用線を敷設することとなる。従って、無線基地局が局所的な情報をブロードキャストする構成では、相対的に多くのコストを要するという技術的な問題点が生ずる。
【０００５】
対して、相対的に狭い範囲に対して情報を送信する（言い換えれば、ブロードキャストする）ことができるローカルなアクセスポイントを導入することで、局所的な情報が要求されない範囲にまでブロードキャストしてしまうことを防ぐことができると考えられる。つまり、アクセスポイントを導入することで、局所的な情報が要求される相対的に狭い範囲に限定してブロードキャストすることができると考えられる。しかしながら、ブロードキャストする情報をアクセスポイントが収集するためには、上述したように有線の専用線を敷設することが求められるという問題が依然としてある。
【０００６】
尚、このような技術的な問題は、収集した情報（或いは、取得した情報）をブロードキャストする場合のみならず、収集した情報（或いは、取得した情報）を何かしらのサービスに対して提供する場合にも同様に生じ得る。
【０００７】
本発明が解決しようとする課題には上記のようなものが一例として挙げられる。本発明は、例えばブロードキャスト等の情報提供を好適に行うことが可能な無線通信システム、無線アクセス局及び通信方法を提供することを目的とする。
【課題を解決するための手段】
【０００８】
第１の無線通信システムは、移動端末と、第１無線アクセス局と、第２無線アクセス局とを備える。第１無線アクセス局及び第２無線アクセス局の夫々は、移動端末と無線通信を行うことができる。第１無線アクセス局は、第１受信部及び第１送信部を備える。第１受信部は、第１無線アクセス局の有する情報を要求する情報取得要求であって第２無線アクセス局から送信される情報取得要求を、移動端末のいずれかである第１移動端末を介して受信する。第１送信部は、情報取得要求に基づき、第２無線アクセス局に対して、移動端末のいずれかである第２移動端末を介して情報を送信する。第２無線アクセス局は、第２送信部、第２受信部、信号処理部及び情報提供部を備える。第２送信部は、第１移動端末に、第１無線アクセス局に対する情報取得要求を送信する。第２受信部は、第２移動端末を介して、第１無線アクセス局から送信される情報を受信する。信号処理部は、第２受信部が受信した情報に対して所定のデータ処理を施す。情報提供部は、データ処理が施された情報の提供を行う情報提供部とを備える。
【０００９】
第２の無線通信システムは、移動端末と、第１無線アクセス局と、第２無線アクセス局とを備える。第１無線アクセス局及び第２無線アクセス局の夫々は、移動端末と無線通信を行うことができる。第１無線アクセス局は、第１送信部及び第２送信部を備える。第１送信部は、第２無線アクセス局に対して、第１無線アクセス局の有する情報を第２無線アクセス局が情報提供することを要求する情報提供要求を、移動端末のいずれかである第１移動端末を介して送信する。第２送信部は、情報提供要求に基づき、第２無線アクセス局に対して、移動端末のいずれかである第２移動端末を介して情報を送信する。第２無線アクセス局は、第１受信部、第２受信部、信号処理部及び情報提供部を備える。第１受信部は、第１移動端末を介して、第１無線アクセス局から送信される情報提供要求を受信する。第２受信部は、情報提供要求に基づき、第２移動端末を介して、第１無線アクセス局から送信される情報を受信する。信号処理部は、第２受信部が受信した情報に対して所定のデータ処理を施す。情報提供部は、データ処理が施された情報の提供を行う情報提供部とを備える。
【００１０】
第１の通信方法は、移動端末と、夫々が移動端末と無線通信を行う第１無線アクセス局及び第２無線アクセス局とを備えている無線通信システムにおける通信方法であって、移動端末のいずれかである第１移動端末を介して、第１無線アクセス局の有する情報を要求する情報取得要求が、第２無線アクセス局から第１無線アクセス局に対して送信され、第１移動端末を介して、情報取得要求が第１無線アクセス局によって受信され、受信された情報取得要求に基づき、移動端末のいずれかである第２移動端末を介して、第１無線アクセス局から第２無線アクセス局に対して情報が送信され、第２移動端末を介して、第１無線アクセス局から送信される情報が第２無線アクセス局によって受信され、第２無線アクセス局によって、受信した情報に対して所定のデータ処理が施され、第２無線アクセス局によって、データ処理が施された情報が提供される。
【００１１】
第２の通信方法は、移動端末と、夫々が移動端末と無線通信を行う第１無線アクセス局及び第２無線アクセス局とを備えている無線通信システムにおける通信方法であって、移動端末のいずれかである第１移動端末を介して、第１無線アクセス局の有する情報を第２無線アクセス局が情報提供することを要求する情報提供要求が、第１無線アクセス局から第２無線アクセス局に対して送信され、第１移動端末を介して、情報提供要求が第２無線アクセス局によって受信され、送信された情報取得要求に基づき、移動端末のいずれかである第２移動端末を介して、第１無線アクセス局から第２無線アクセス局に対して情報が送信され、第２移動端末を介して、第１無線アクセス局から送信される情報が第２無線アクセス局によって受信され、第２無線アクセス局によって、受信した情報に対して所定のデータ処理が施され、第２無線アクセス局によって、データ処理が施された情報が提供される。
【発明の効果】
【００１２】
以上説明した無線通信システム、無線アクセス局及び通信方法によれば、ブロードキャスト等の情報提供を好適に行うことができる。
【図面の簡単な説明】
【００１３】
【図１】第１実施形態の無線通信システムの構成を示すブロック図である。
【図２】第１実施形態の無線ＡＰの機能ブロックを示すブロック図である。
【図３】第１実施形態の無線ＡＰのハードウェアブロックを示すブロック図である。
【図４】第１実施形態の移動端末の機能ブロックを示すブロック図である。
【図５】第１実施形態の移動端末のハードウェアブロックを示すブロック図である。
【図６】第１実施形態の移動端末の変形例の機能ブロックを示すブロック図である。
【図７】第１実施形態の無線通信システムの動作の流れの一例を示すシーケンス図である。
【図８】第１実施形態の無線通信システムの動作で用いられる各種情報（各種パケット及び周辺ＡＰ情報）を示すデータ構造図である。
【図９】第２実施形態の無線ＡＰの機能ブロックを示すブロック図である。
【図１０】第２実施形態の無線通信システムの動作の流れの一例を示すシーケンス図である。
【図１１】第２実施形態の無線通信システムの動作で用いられる各種情報（各種パケット）を示すデータ構造図である。
【図１２】第２実施形態の無線通信システムの変形動作の流れの一例を示すシーケンス図である。
【図１３】第２実施形態の無線通信システムの変形動作で用いられる各種情報（各種パケット及び周辺ＡＰ情報）を示すデータ構造図である。
【図１４】第３実施形態の無線ＡＰの機能ブロックを示すブロック図である。
【図１５】第３実施形態の無線通信システムの動作の流れの一例を示すシーケンス図である。
【図１６】第３実施形態の無線通信システムの動作で用いられる各種情報（各種パケット）を示すデータ構造図である。
【図１７】第３実施形態の無線通信システムの変形動作の流れの一例を示すシーケンス図である
【発明を実施するための最良の形態】
【００１４】
以下、本発明を実施するための最良の形態を、図面に基づいて説明する。以下の説明では、無線通信システムの一例として、携帯電話システムを用いて説明を進める。但し、携帯電話システム以外の各種無線通信システムに対して後述する実施形態を適用してもよい。
【００１５】
（１）第１実施形態
図１から図８を参照して、第１実施形態の無線通信システムについて説明する。
【００１６】
（１−１）無線通信システムの構成
図１を参照して、第１実施形態の無線通信システム１の構成について説明する。図１は、第１実施形態の無線通信システム１の構成の一例を示すブロック図である。
【００１７】
図１に示すように、第１実施形態の無線通信システム１は、無線ＡＰ（Access Point：アクセスポイント）２０ａと、無線ＡＰ２０ｂと、無線ＡＰ２０ｃと、移動端末３０ａと、移動端末３０ｂと、移動端末３０ｃと、移動端末３０ｄと、移動端末３０ｅとを備えている。尚、図１に示す無線ＡＰ２０の数及び移動端末３０の数は一例であって、無線ＡＰ２０の数及び移動端末３０の数が図１に示す個数に限定されることはない。また、以下では、説明の便宜上、無線ＡＰ２０ａから無線ＡＰ２０ｃを区別することなく説明する場合には、“無線ＡＰ２０”と称して説明を進める。同様に、移動端末３０ａから移動端末３０ｅを区別することなく説明する場合には、“移動端末３０”と称して説明を進める。
【００１８】
無線ＡＰ２０は、所定の大きさを有するカバーエリア２９（例えば、半径が概ね数ｍから十数ｍないしは数十ｍ程度又は百数十ｍ若しくは数百ｍとなるカバーエリア２９）をカバーする。無線ＡＰ２０は、当該無線ＡＰ２０がカバーするカバーエリア２９内に位置する移動端末３０との間で無線通信を行う。つまり、無線ＡＰ２０は、当該無線ＡＰ２０がカバーするカバーエリア２９内に位置する移動端末３０との間で無線通信コネクションを確立すると共に、移動端末３０に対してデータの送受信を行う。図１は、無線ＡＰ２０ａが、当該無線ＡＰ２０ａがカバーするカバーエリア２９ａ内に位置する移動端末３０ａ及び移動端末３０ｂとの間で無線通信を行う例を示している。同様に、図１は、無線ＡＰ２０ｂが、当該無線ＡＰ２０ｂがカバーするカバーエリア２９ｂ内に位置する移動端末３０ｃとの間で無線通信を行う例を示している。同様に、図１は、無線ＡＰ２０ｃが、当該無線ＡＰ２０ｃがカバーするカバーエリア２９ｃ内に位置する移動端末３０ｄとの間で無線通信を行う例を示している。
【００１９】
無線ＡＰ２０は、その送信電力が相対的に小さい（言い換えれば、相対的に小電力又は相対的に微弱電力となる）ことが好ましい。例えば、無線ＡＰ２０は、例えばセル半径が概ね数ｋｍから十数ｋｍないしは数十ｋｍとなるセル（いわゆる、マクロセル）をカバーする無線基地局（いわゆる、マクロセル無線基地局）と比較して、送信電力が小さいことが好ましい。或いは、無線ＡＰ２０は、セル半径が概ね数百ｍから１ｋｍとなるセル（いわゆる、マイクロセル）をカバーする無線基地局（いわゆる、マイクロセル無線基地局）と比較して送信電力が同等程度又は小さいことが好ましい。或いは、無線ＡＰ２０は、数ｍから十数ｍないしは数十ｍとなるセル（いわゆる、フェムトセル）をカバーする無線基地局（いわゆる、フェムトセル無線基地局）と比較して送信電力が同等程度又は小さい若しくは大きいことが好ましい。
【００２０】
無線ＡＰ２０は、その設置位置が常に固定されていてもよい。或いは、無線ＡＰ２０は、その設置位置が移動してもよい。具体的には、例えば、無線ＡＰ２０は、自動車や電車等の移動体に設置されてもよい。
【００２１】
尚、無線ＡＰ２０は、無線基地局と別個独立に設置されてもよい。この場合、図１に示す無線通信システムは、無線ＡＰ２０とは別に、無線基地局を備えている。或いは、無線ＡＰ２０は、無線基地局内に設置されてもよい。この場合、無線ＡＰ２０は、無線基地局内の物理的なハードウェアとして実現されてもよいし、無線基地局内のＣＰＵ上で動作するソフトウェアとして実現されてもよい。無線ＡＰ２０が無線基地局内に設置される場合には、無線基地局は、通常の無線基地局としての動作と無線ＡＰ２０としての動作とを適宜切り替えてもよいし、同時並行して実行してもよい。
【００２２】
移動端末３０は、自身がその内部に位置するカバーエリア２９に対応する無線ＡＰ２０との間で無線通信コネクションを確立すると共に、データの送受信を行う。移動端末３０は、移動することで無線通信を行う無線ＡＰ２０を適宜切り替える。例えば、図１に示す移動端末３０がカバーエリア２９ａからカバーエリア２９ｂ内に移動した場合には、移動端末３０は、無線通信を行う無線ＡＰ２０を、無線ＡＰ２０ａから無線ＡＰ２０ｂへと切り替える。移動端末３０として、例えば携帯電話機や、ＰＤＡ（Personal Digital Assistant）や、その他無線通信機能を有する各種情報機器等が一例としてあげられる。
【００２３】
（１−２）無線ＡＰの構成
図２及び図３を参照して、第１実施形態の無線ＡＰ２０の構成について説明する。図２は、第１実施形態の無線ＡＰ２０の機能ブロックを示すブロック図である。図３は、第１実施形態の無線ＡＰ２０のハードウェアブロックの一例を示すブロック図である。尚、以下では、第１実施形態の無線ＡＰ２０を、第２及び第３実施形態の無線ＡＰ２０と区別するために、“無線ＡＰ２１”と表記する。
【００２４】
図２に示すように、第１実施形態の無線ＡＰ２１は、アンテナ２１１と、ＲＦ（Radio Frequency）部２１２と、変復調部２１３と、符号化部２１４と、復号部２１５と、制御部２１６とを備える。
【００２５】
アンテナ２１１は、移動端末３０に対して送信されるデータに応じた無線信号（無線電波）を、移動端末３０に対して出力する。アンテナ２１１は、移動端末３０から出力されている無線信号（つまり、移動端末３０から送信されるデータに応じた無線信号）を受信する。
【００２６】
ＲＦ部２１２は、アンテナ２１１が受信した無線信号に対して無線受信処理（例えば、増幅処理等）を行うことで受信データを生成する。ＲＦ部２１２は、生成した受信データを変復調部２１３へと出力する。一方で、ＲＦ部２１２は、変復調部２１３から出力される送信データに対して無線送信処理（例えば、増幅処理）を施すことで無線信号を生成する。ＲＦ部２１２は、生成した無線信号をアンテナ２１１へと出力する。
【００２７】
変復調部２１３は、ＲＦ部２１２から出力される受信データに対して復調処理を行う。変復調部２１３は、復調した受信データを復号部２１５へと出力する。一方で、変復調部２１３は、符号化部２１４から出力される送信データに対して変調処理を行う。変復調部２１３は、変調した送信データをＲＦ部２１２へと出力する。
【００２８】
符号化部２１４は、制御部２１６から出力される送信データに対して符号化処理を行う。符号化部２１４は、符号化した送信データを変復調部２１３へと出力する。
【００２９】
復号部２１５は、変復調部２１３から出力される受信データに対して復号化処理を行う。復号部２１５は、復号化した受信データを制御部２１６へと出力する。
【００３０】
制御部２１６は、無線ＡＰ２１全体の動作を制御する。制御部２１６は、例えばその内部に実現される物理的な、論理的な又は機能的な処理ブロックとして、パケット生成部２１６１と、ブロードキャスト情報生成部２１６２と、メモリ部２１６３と、センサ２１６４と、信号処理部２１６５とを備えている。
【００３１】
パケット生成部２１６１は、無線ＡＰ２１から移動端末３０に対して送信されるべき各種パケット（後述の図８等参照）を生成する。パケット生成部２１６１は、生成したパケットを、送信データとして符号化部２１４へと出力する。
【００３２】
ブロードキャスト情報生成部２１６２は、メモリ部２１６３に格納されている各種情報（図８等参照）から、無線ＡＰ２１がカバーするカバーエリア２９内にブロードキャストするべき情報（以降、“ブロードキャスト情報”と称する）を抽出する。ブロードキャスト情報生成部２１６２は、抽出したブロードキャスト情報を、送信データとして符号化部２１４へと出力する。
【００３３】
尚、上述したように、無線ＡＰ２１の送信電力は相対的に小さい。このため、第１実施形態では、ブロードキャスト情報は、ローカルな情報（つまり、相対的に狭い範囲で要求される局所的な情報）であることが好ましい。このようなローカルな情報として、第１実施形態では、例えば、局所的な気象状態等を示す気象情報等が一例としてあげられる。もちろん、気象情報以外の任意の情報（例えば、局所的な道路状況を示す道路交通情報や、特定の観光地の観光情報等を示す観光情報や、特定の場所ないしは地点に特有の情報を示すスポット情報等）を、ローカルな情報として取り扱ってもよい。
【００３４】
メモリ部２１６３は、無線ＡＰ２１の動作に必要な各種情報を格納する。第１実施形態では、メモリ部２１６３は、ブロードキャスト情報や、無線ＡＰ２１の周辺に位置する又は無線ＡＰ２１と関連して後述する一連の処理（図７参照）を行う他の無線ＡＰ２１の情報を含む周辺ＡＰ情報（図８等参照）等を格納する。
【００３５】
センサ２１６４は、無線ＡＰ２１の内部、外部、周辺又は無線ＡＰ２１に関連する状況若しくは状態に関する各種情報を検出する。センサ２１６４の一例として、例えば積雪量センサや、温度センサや、風速センサ等があげられる。センサ２１６４が検出した情報（測定結果情報）は、メモリ２１６３に格納されてもよいし、後述する信号処理部２１６５に出力されてもよい。
【００３６】
信号処理部２１６５は、無線ＡＰ２１が受信する（或いは、取得する又は収集する）各種情報に対して、ブロードキャストするための形式に変換するデータ処理を行う。或いは、信号処理部は、無線ＡＰ２１が受信する（或いは、取得する又は収集する）各種情報に対して、ブロードキャストするための統計処理を含むデータ処理を行う。言い換えれば、信号処理部２１６５は、無線ＡＰ２１が受信する（或いは、取得する又は収集する）各種情報を、ブロードキャスト情報に変換する。尚、無線ＡＰ２１が受信する（或いは、取得する又は収集する）各種情報としては、以下の例があげられる。まず、無線ＡＰ２１は、無線ＡＰ２１が備えるセンサ２１６３が検出する測定結果情報を受信（或いは、取得又は収集）してもよい。或いは、無線ＡＰ２１は、移動端末３０自身が保有している情報を、移動端末３０から直接的に受信（或いは、取得又は収集）してもよい。或いは、無線ＡＰ２１は、他の無線ＡＰ２１が保有している情報（或いは、無線ＡＰ２１が備えるセンサ２１６３が検出する測定結果情報）を、移動端末３０を通信媒体として間に介在させることで受信（或いは、取得又は収集）してもよい。つまり、第１実施形態では、信号処理部２１６５は、一又は複数種類の情報源（例えば、他の無線ＡＰ２１や移動端末３０やセンサ２１６４等）から得られる一又は複数種類の各種情報を、まとめてブロードキャスト情報に変換する。信号処理部２１６５は、データ処理の結果生成されたブロードキャスト情報を、メモリ部２１６３に格納する。
【００３７】
また、信号処理部２１６５は、他の無線ＡＰ２１から送信されてくる各種パケット（図８等参照）の受信処理を行ってもよい。
【００３８】
尚、第１実施形態では、ある無線ＡＰ２１（例えば、山間部の山麓付近に設置される無線ＡＰ２１ａ）が、他の無線ＡＰ２１（例えば、山間部の山頂付近又は峠道の途中付近に設定される無線ＡＰ２１ｂ及び無線ＡＰ２１ｃの少なくとも一方）が備えるセンサ２１６４の測定結果情報を収集すると共に、当該測定結果情報をブロードキャストする態様が、利用態様の一例として想定される。このため、このような態様では、ブロードキャストする側の無線ＡＰ２１（例えば、山間部の山麓付近に設置される無線ＡＰ２１ａ）は、センサ２１６４を備えていなくともよい。一方で、ブロードキャストする側でない無線ＡＰ２１（例えば、山間部の山頂付近又は峠道の途中付近に設置される無線ＡＰ２１ｂ及び無線ＡＰ２１ｃの少なくとも一方）は、ブロードキャスト情報生成部２１６２を備えていなくともよい。
【００３９】
図３に示すように、無線ＡＰ２１は、ハードウェア構成の観点からみると、ＦＰＧＡ（Field Programmable Gate Array）２７１と、ＤＳＰ（Digital Signal Processor）２７２と、Ｌ２ＳＷ（Layer 2 Switch）２７３と、ＣＰＵ（Central Processing Unit）２７４と、ＳＤＲＡＭ（Synchronous Dynamic Random Access Memory）２７５と、ＲＦ（Radio Frequency）回路２７６と、アンテナ２１１とを備えている。ＦＰＧＡ２７１は、書き換え可能な論理回路を含む集積処理回路であり、無線ＡＰ２１の仕様に応じた処理を行うように論理回路の定義付けないしは設計がなされている。ＤＳＰ２７２は、デジタル信号に関連する各種処理を行う。Ｌ２ＳＷ２７３は、ＦＰＧＡ２７１、ＤＳＰ２７２、ＣＰＵ２７３及びＲＦ回路２７６の間の信号の伝送を制御する。ＣＰＵ２７４は、所定のファームウェア等に基づいて動作する制御回路であって、無線ＡＰ２１全体の動作を制御する。ＳＤＲＡＭ２７５は、無線ＡＰ２１内部で使用するデータを一時的に格納したり、無線ＡＰ２１としての動作を行うためのプログラム（即ち、ファームウェア）を格納する。ＲＦ回路２７６は、無線送受信処理（例えば、増幅処理等）を行う。ＦＰＧＡ２７１及びＤＳＰ２７２は、上述した変復調部２１３、符号化部２１４及び復号部２１５に対応している。ＣＰＵ２７４は、上述した制御回路２１６に対応している。ＳＤＲＡＭ２７５は、上述したメモリ部２１６３に対応している。ＲＦ回路２６７は、上述したＲＦ部２１２に対応している。
【００４０】
（１−３）移動端末の構成
図４及び図５を参照して、第１実施形態の移動端末３０の構成について説明する。図４は、移動端末３０の機能ブロックを示すブロック図である。図５は、移動端末３０のハードウェアブロックの一例を示すブロック図である。
【００４１】
図４に示すように、第１実施形態の移動端末３０は、アンテナ３１１と、ＲＦ（Radio Frequency）部３１２と、変復調部３１３と、符号化部３１４と、復号部３１５と、メモリ部３１６と、制御部３１７と、ユーザデータ処理部３１８とを備える。
【００４２】
アンテナ３１１は、無線ＡＰ２１又は無線基地局に対して送信されるデータに応じた無線信号（無線電波）を、無線ＡＰ２１又は無線基地局に対して出力する。アンテナ３１１は、無線ＡＰ２１又は無線基地局から出力されている無線信号（つまり、無線ＡＰ２１又は無線基地局から送信されるデータに応じた無線信号）を受信する。
【００４３】
ＲＦ部３１２は、アンテナ３１１が受信した無線信号に対して無線受信処理（例えば、増幅処理等）を行うことで受信データを生成する。ＲＦ部３１２は、生成した受信データを変復調部３１３へと出力する。一方で、ＲＦ部３１２は、変復調部３１３から出力される送信データに対して無線送信処理（例えば、増幅処理）を施すことで無線信号を生成する。ＲＦ部３１２は、生成した無線信号をアンテナ３１１へと出力する。
【００４４】
変復調部３１３は、ＲＦ部３１２から出力される受信データに対して復調処理を行う。変復調部３１３は、復調した受信データが無線基地局から送信されてきた受信データである場合には、復調した受信データを復号部３１５へと出力する。他方で、変復調部３１３は、復調した受信データが無線ＡＰ２１から送信されてきた受信データ（例えば、後述の図８等に示す各種パケット）である場合には、復調した受信データをメモリ部３１６へと出力する。
【００４５】
一方で、変復調部３１３は、符号化部３１４から出力される送信データに対して変調処理を行う。変復調部３１３は、変調した送信データをＲＦ部３１２へと出力する。また、変復調部３１３は、メモリ部３１６に格納されている各種情報（例えば、後述の図８等に示す各種パケット）に対して変調処理を行う。変復調部３１３は、変調した各種情報（つまり、送信データ）をＲＦ部３１２へと出力する。
【００４６】
符号化部３１４は、ユーザデータ処理部３１８から出力される送信データに対して符号化処理を行う。符号化部３１４は、符号化した送信データを変復調部３１３へと出力する。
【００４７】
復号部３１５は、変復調部３１３から出力される受信データに対して復号化処理を行う。復号部３１５は、復号化した受信データをユーザデータ処理部３１８へと出力する。
【００４８】
メモリ部３１６は、無線ＡＰ２１と移動端末３０との間の無線通信で送受信される各種情報（例えば、後述の図８等に示す各種パケット）を一時的に格納する。
【００４９】
制御部３１７は、無線ＡＰ２１と移動端末３０との間の無線通信を制御する。制御部３１７は、無線ＡＰ２１から各種情報（例えば、後述の図８等に示す各種パケット）が送信されてくる場合には、当該各種情報をメモリ部３１６に一時的に格納するようにメモリ部３１６を制御する。制御部３１７は、無線ＡＰ２１に対してメモリ部３１６に格納されている各種情報を送信する場合には、メモリ部３１６から各種情報を読み出すタイミングを変復調部３１３に指示する。その結果、変復調部３１３は、制御部３１７の指示に応じたタイミングでメモリ部３１６に格納されている各種情報を読出し且つ変調する。
【００５０】
尚、第１実施形態では、移動端末３０は、ある無線ＡＰ２１から送信される情報を一時的に格納すると共に、当該情報を他の無線ＡＰ２１に対して送信する機能を有している。例えば、移動端末３０は、カバーエリア２９ａ内に位置する場合には、カバーエリア２９ａをカバーする無線ＡＰ２１ａから送信される情報を受信すると共に当該受信した情報をメモリ部３１６に一時的に格納する。その後、移動端末３０がカバーエリア２９ａからカバーエリア２９ｂ内に移動した場合には、移動端末３０は、カバーエリア２９ｂをカバーする無線ＡＰ２１ｂに対して、メモリ部３１６に一時的に格納されている情報を送信する。その結果、無線ＡＰ２１ａから無線ＡＰ２１ｂに対して、移動端末３０を介して情報が送信される。このような機能が、上述したメモリ部３１６及び制御部３１７によって実現されている。
【００５１】
ユーザデータ処理部３１８は、無線基地局から受信した受信データに対して、所定のデータ処理（例えば、ＭＡＣ（Medium Access Control）処理やＲＲＣ（Radio Resource Control）処理やＰＤＣＰ（Packet Data Convergence Protocol）処理等）を行う。同様に、ユーザデータ処理部３１８は、無線基地局に対して送信するべき送信データに対して所定のデータ処理を行う。つまり、ユーザデータ処理部３１８は、無線基地局と移動端末３０との間の無線通信で送受信される各種情報（例えば、ユーザデータ等）に対するデータ処理を行う。
【００５２】
図５に示すように、移動端末３０は、ハードウェア構成の観点からみると、ＦＰＧＡ（Field Programmable Gate Array）３７１と、ＤＳＰ（Digital Signal Processor）３７２と、Ｌ２ＳＷ（Layer 2 Switch）３７３と、ＣＰＵ（Central Processing Unit）３７４と、ＳＤＲＡＭ（Synchronous Dynamic Random Access Memory）３７５と、ＲＦ（Radio Frequency）回路３７６と、アンテナ３１１とを備えている。ＦＰＧＡ３７１は、書き換え可能な論理回路を含む集積処理回路であり、移動端末３０の仕様に応じた処理を行うように論理回路の定義付けないしは設計がなされている。ＤＳＰ３７２は、デジタル信号に関連する各種処理を行う。Ｌ２ＳＷ３７３は、ＦＰＧＡ３７１、ＤＳＰ３７２、ＣＰＵ３７３及びＲＦ回路３７６の間の信号の伝送を制御する。ＣＰＵ３７４は、所定のファームウェア等に基づいて動作する制御回路であって、移動端末３０全体の動作を制御する。ＳＤＲＡＭ３７５は、移動端末３０内部で使用するデータを一時的に格納したり、移動端末３０としての動作を行うためのプログラム（即ち、ファームウェア）を格納する。ＲＦ回路３７６は、無線送受信処理（例えば、増幅処理等）を行う。ＦＰＧＡ３７１及びＤＳＰ３７２は、上述した変復調部３１３、符号化部３１４、復号部３１５及びユーザデータ処理部３１８に対応している。ＣＰＵ３７４は、上述した制御回路３１７に対応している。ＳＤＲＡＭ３７５は、上述したメモリ部３１６に対応している。ＲＦ回路３６７は、上述したＲＦ部３１２に対応している。
【００５３】
尚、図５に示す例では、無線ＡＰ２１と移動端末３０との間の無線通信及び無線基地局と移動端末３０との間の無線通信は共に、共通する１つのアンテナ３１１、１つのＲＦ部３１２及び１つの変復調部３１３によって行われている。しかしながら、無線ＡＰ２１と移動端末３０との間の無線通信を行うアンテナ３１１、ＲＦ部３１２及び変復調部３１３と、無線基地局と移動端末３０との間の無線通信を行うアンテナ３１１、ＲＦ部３１２及び変復調部３１３とを別々に用意してもよい。このような構成について、図６を参照して説明する。図６は、第１実施形態の移動端末３０の変形例の機能ブロックを示すブロック図である。
【００５４】
図６に示すように、第１実施形態の移動端末３０の変形例は、無線ＡＰ２１と移動端末３０との間の無線通信を行うためのアンテナ３１１＿１、ＲＦ部３１２＿１及び変復調部３１３＿１と、無線基地局と移動端末３０との間の無線通信を行うためのアンテナ３１１＿２、ＲＦ部３１２＿２及び変復調部３１３＿２とを別々に備えている。第１実施形態の移動端末３０の変形例は、メモリ部３１６及び制御部３１７を、無線ＡＰ２１と移動端末３０との間の無線通信を行うためのアンテナ３１１＿１、ＲＦ部３１２＿１及び変復調部３１３＿１が備えられる側に一つずつ備えている。一方で、第１実施形態の移動端末３０の変形例は、符号化部３１４、復号部３１５及びユーザデータ処理部３１８を、無線基地局と移動端末３０との間の無線通信を行うためのアンテナ３１１＿２、ＲＦ部３１２＿２及び変復調部３１３＿２が備えられる側に一つずつ備えている。
【００５５】
（１−４）無線通信システムの動作
図７及び図８を参照して、第１実施形態の無線通信システム１の動作について説明する。図７は、第１実施形態の無線通信システム１の動作の流れの一例を示すシーケンス図である。図８は、第１実施形態の無線通信システム１の動作で用いられる各種情報（各種パケット及び周辺ＡＰ情報）を示すデータ構造図である。
【００５６】
第１実施形態の無線通信システム１では、ある無線ＡＰ２１（例えば、山間部の山麓付近に設置される無線ＡＰ２１ａ）が、他の無線ＡＰ２１（例えば、山間部の山頂付近又は峠道の途中付近に設置される無線ＡＰ２１ｂ及び無線ＡＰ２１ｃの少なくとも一方）が備えるセンサ２１６４の測定結果情報を収集すると共に、当該測定結果情報をブロードキャストする態様が、利用態様の一例として想定される。以下では、無線ＡＰ２１ａが、山間部の山麓付近に設置され、無線ＡＰ２１ｂが山間部の山頂付近に設置され、且つ無線ＡＰ２１ｃが峠道の途中付近に設置される例について説明を進める。尚、無線ＡＰ２１ａは、山間部の山麓付近をカバーしていればよく、山間部の山頂付近又は峠道の途中付近をカバーしていなくともよい。つまり、無線ＡＰ２１ａのカバーエリア２９ａは、無線ＡＰ２１ｂのカバーエリア２９ｂや無線ＡＰ２１ｃのカバーエリア２９ｃと重複していなくともよい。
【００５７】
また、以下の説明では、無線ＡＰ２１ｂ及び無線ＡＰ２１ｃの夫々が備えるセンサ２１６４が検出した気象情報を無線ＡＰ２１ａが収集すると共に、当該収集した気象情報を無線ＡＰ２１ａが自身のカバーエリア２９ａにブロードキャストする例について説明を進める。
【００５８】
図７に示すように、無線ＡＰ２１ａは、無線ＡＰ２１ａの存在を、他の無線ＡＰ２１ｂ及び無線ＡＰ２１ｃに認識させるための処理を行う（ステップＳ１０１、ステップＳ２０１及びステップＳ３０１からステップＳ３０２）。加えて、無線ＡＰ２１ａは、他の無線ＡＰ２１ｂ及び無線ＡＰ２１ｃを認識するための処理を行う（ステップＳ１０２からステップＳ１０３、ステップＳ２０２及びステップＳ３０３）。以上の処理は、定期的に行われてもよいし、不定期的に行われてもよい。
【００５９】
無線ＡＰ２１ａが無線ＡＰ２１ａ自身の存在を他の無線ＡＰ２１ｂに認識させるための処理は、以下のように行われる。無線ＡＰ２１ａが備えるパケット生成部２１６１は、無線ＡＰ２１ａ自身の情報を他の無線ＡＰ２１ｂに対して通知するための自局データ通知パケットを生成する（ステップＳ１０１）。無線ＡＰ２１ａが備えるパケット生成部２１６１は、生成した自局データ通知パケットを、無線ＡＰ２１ａがカバーするカバーエリア２９ａ内に位置する移動端末３０に対して送信する（ステップＳ１０１）。
【００６０】
自局データ通知パケットは、図８（ａ）に示すように、パケットそのものを識別するためのパケットＩＤフィールドと、パケットの種類を識別するためのパケット種類フィールドと、パケットの通知元（送信元）となる無線ＡＰ２１を示す通知元ＡＰ＿ＩＤフィールドと、パケットの通知先（送信先）となる無線ＡＰ２１を示す通知先ＡＰ＿ＩＤフィールドと、無線ＡＰ２１ａ自身の情報を格納するペイロードフィールドとを備えている。図８（ａ）に示す例では、パケットＩＤフィールドに「０」が格納されている。図８（ａ）に示す例では、パケット種類フィールドに、当該パケットの種類が自局データ通知パケットであることを示す識別番号「＃０」が格納されている。図８（ａ）に示す例では、通知元ＡＰ＿ＩＤフィールドに、自局データ通知パケットの通知元となる無線ＡＰ２１ａのＡＰ＿ＩＤが格納されている。図８（ａ）に示す例では、通知先ＡＰ＿ＩＤフィールドに、自局データ通知パケットの通知先として全ての無線ＡＰ２１を指定する「ａｌｌ」が格納されている。図８（ａ）に示す例では、ペイロードフィールドには、無線ＡＰ２１ａ自身の情報として、無線ＡＰ２１ａのＡＰ＿ＩＤ（装置ＩＤ）や、無線ＡＰ２１ａが設置されている場所（例えば、山麓）を示す位置情報や、無線ＡＰ２１ａが備えているセンサ２１６４によって測定可能な情報（例えば、積雪量や、温度や、風速等の情報）を示すセンサ情報が格納されている。
【００６１】
再び図７において、その後、無線ＡＰ２１ａがカバーするカバーエリア２９ａ内に位置する移動端末３０は、無線ＡＰ２１ａから送信される自局データ通知パケットを受信する。移動端末３０が備える制御部３１７は、受信した自局データ通知パケットをメモリ部３１６に一時的に格納する。その後、他の無線ＡＰ２１ｂがカバーするカバーエリア２９ｂ内に移動端末３０が移動した後に、移動端末３０が備える制御部３１７は、メモリ部３１６に格納された自局データ通知パケットを読出し且つ送信するように変復調部３１３を制御する。その結果、移動端末３０は、無線ＡＰ２１ａから送信された自局データ通知パケットを、他の無線ＡＰ２１ｂに対して転送することができる（ステップＳ２０１）。
【００６２】
以上の説明で分かるとおり、第１実施形態では、ある無線ＡＰ２１（無線ＡＰ２１ａ）と他の無線ＡＰ２１（無線ＡＰ２１ｂ及び無線ＡＰ２１ｃ）との間のデータ（パケット）の送受信は、間に移動端末３０を介在させて行われる。つまり、第１実施形態では、ある無線ＡＰ２１と他の無線ＡＰ２１との間のデータ（パケット）の送受信は、ある無線ＡＰ２１と他の無線ＡＰ２１との間の直接的な無線通信に代えて、間に移動端末３０を介在させた無線通信によって行われる。尚、ある無線ＡＰ２１と他の無線ＡＰ２１との間のデータの送受信が移動端末３０を介在させて行われる構成は、後の説明においても同様である。
【００６３】
その後、無線ＡＰ２１ｂが備える信号処理部２１６５は、移動端末３０から送信される（言い換えれば、転送される）自局データ通知パケットを受信する（ステップＳ３０１）。無線ＡＰ２１ｂが備える信号処理部２１６５は、受信した自局データ通知パケットの通知先ＡＰ＿ＩＤフィールドに格納されているＡＰ＿ＩＤが無線ＡＰ２１ｂのＡＰ＿ＩＤと一致する場合には、受信した自局データ通知パケットのペイロードフィールドを参照することで、無線ＡＰ２１ａの存在を認識する（ステップＳ３０２）。他方で、無線ＡＰ２１ｂが備える信号処理部２１６５は、受信した自局データ通知パケットの通知先ＡＰ＿ＩＤフィールドに格納されているＡＰ＿ＩＤが無線ＡＰ２１ｂのＡＰ＿ＩＤと一致しない場合には、受信した自局データ通知パケットを破棄してもよい。
【００６４】
尚、上述の説明は、無線ＡＰ２１ａが無線ＡＰ２１ａ自身の存在を他の無線ＡＰ２１ｂに認識させるための処理についての説明である。しかしながら、無線ＡＰ２１ａが無線ＡＰ２１ａ自身の存在を他の無線ＡＰ２１ｃに認識させるための処理も同様の態様で行われてもよい。或いは、無線ＡＰ２１ｂが無線ＡＰ２１ｂ自身の存在を他の無線ＡＰ２１ａ又は無線ＡＰ２１ｃに認識させるための処理も同様の態様で行われてもよい。或いは、無線ＡＰ２１ｃが無線ＡＰ２１ｃ自身の存在を他の無線ＡＰ２１ａ又は無線ＡＰ２１ｂに認識させるための処理も同様の態様で行われてもよい。
【００６５】
一方で、無線ＡＰ２１ａが他の無線ＡＰ２１ｂを認識するための処理は、以下のように行われる。無線ＡＰ２１ｂが備えるパケット生成部２１６１は、無線ＡＰ２１ｂ自身の情報を他の無線ＡＰ２１ａに対して通知するための自局データ通知パケットを生成する（ステップＳ３０３）。無線ＡＰ２１ｂが備えるパケット生成部２１６１は、生成した自局データ通知パケットを、無線ＡＰ２１ｂがカバーするカバーエリア２９ｂ内に位置する移動端末３０に対して送信する（ステップＳ３０３）。
【００６６】
その後、移動端末３０は、無線ＡＰ２１ｂから送信される自局データ通知パケットを、無線ＡＰ２１ａに対して転送する（ステップＳ２０２）。この転送の態様は、上述したステップＳ２０１における転送の態様と同様であってもよい。
【００６７】
その後、無線ＡＰ２１ａが備える信号処理部２１６５は、移動端末３０から送信される（言い換えれば、転送される）自局データ通知パケットを受信する（ステップＳ１０２）。無線ＡＰ２１ａが備える信号処理部２１６５は、受信した自局データ通知パケットのペイロードフィールドを参照することで、無線ＡＰ２１ｂの存在を認識する（ステップＳ１０３）。尚、ステップＳ１０３における無線ＡＰ２１ｂの存在を認識する動作は、ステップＳ３０２における無線ＡＰ２１ａの存在を認識する動作と同様である。
【００６８】
尚、上述の説明は、無線ＡＰ２１ａが他の無線ＡＰ２１ｂを認識するための処理についての説明である。しかしながら、無線ＡＰ２１ａが他の無線ＡＰ２１ｃを認識するための処理も同様の態様で行われてもよい。或いは、無線ＡＰ２１ｂが他の無線ＡＰ２１ａ又は無線ＡＰ２１ｃを認識するための処理も同様の態様で行われてもよい。或いは、無線ＡＰ２１ｃが他の無線ＡＰ２１ａ又は無線ＡＰ２１ｂを認識するための処理も同様の態様で行われてもよい。
【００６９】
以上の処理の結果、ある無線ＡＰ２１によって認識された他の無線ＡＰ２１の情報は、周辺ＡＰ情報として無線ＡＰ２１が備えるメモリ部２１６３内で管理される。周辺ＡＰ情報は、図８（ｂ）に示すように、他の無線ＡＰ２１のＡＰ＿ＩＤを示すＡＰ＿ＩＤフィールドと、他の無線ＡＰ２１が設置されている場所を示す設置場所フィールドと、他の無線ＡＰ２１が備えるセンサ２１６４によって測定可能な情報を示すセンサ情報フィールドとを備えている。尚、図８（ｂ）は、無線ＡＰ２１ａが備えるメモリ部２１６３に格納される周辺ＡＰ情報を一例として示している。図８（ｂ）に示す例では、無線ＡＰ２１ｂの情報として、ＡＰ＿ＩＤフィールドに「無線ＡＰ２１ｂのＡＰ＿ＩＤ」が格納され、設置場所フィールドに「峠（山頂）」が格納され且つセンサ情報フィールドに「積雪量、温度及び風速」が格納されたレコードが含まれている。図８（ｂ）に示す例では、無線ＡＰ２１ｃの情報として、ＡＰ＿ＩＤフィールドに「無線ＡＰ２１ｃのＡＰ＿ＩＤ」が格納され、設置場所フィールドに「峠（峠道の途中）」が格納され且つセンサ情報フィールドに「積雪量、温度及び風速」が格納されたレコードが含まれている。
【００７０】
尚、周辺ＡＰ情報は、他の無線ＡＰ２１の情報のみならず、無線ＡＰ２１自身の情報を含んでいてもよい。図８（ｂ）に示す例では、無線ＡＰ２１自身の情報（つまり、無線ＡＰ２１ａの情報）として、ＡＰ＿ＩＤフィールドに「無線ＡＰ２１ａのＡＰ＿ＩＤ」が格納され、設置場所フィールドに「山麓」が格納され且つセンサ情報フィールドに「積雪量、温度及び風速」が格納されたレコードが含まれている。
【００７１】
再び図７において、続いて、無線ＡＰ２１ａは、無線ＡＰ２１ａが行うブロードキャストの対象となる元情報（例えば、センサ２１６４の測定結果情報）が無線ＡＰ２１ａに転送されるように、他の無線ＡＰ２１ｂに当該元情報の送信を要求する処理を行う（ステップＳ１０４からステップＳ１０５、ステップＳ２０４からステップＳ２０５及びステップＳ３０４からステップＳ３０５）。
【００７２】
具体的には、無線ＡＰ２１ａが備えるパケット生成部２１６１は、無線ＡＰ２１ａに対する元情報の送信を他の無線ＡＰ２１ｂに要求するための情報取得要求パケットを生成する（ステップＳ１０４）。無線ＡＰ２１ａが備えるパケット生成部２１６１は、生成した情報取得要求パケットを、無線ＡＰ２１ａがカバーするカバーエリア２９ａ内に位置する移動端末３０に対して送信する（ステップＳ１０４）。
【００７３】
情報取得要求パケットは、図８（ｃ）に示すように、パケットＩＤフィールドと、パケット種類フィールドと、パケットの要求元（送信元）となる無線ＡＰ２１を示す要求元ＡＰ＿ＩＤフィールドと、パケットの要求先（送信先）となる無線ＡＰ２１を示す要求先ＡＰ＿ＩＤフィールドと、送信を要求する元情報の種別を特定するための情報を示すペイロードフィールドとを備えている。図８（ｃ）に示す例では、パケットＩＤフィールドに「１」が格納されている。図８（ｃ）に示す例では、パケット種類フィールドに、当該パケットの種類が情報取得要求パケットであることを示す識別番号「＃１」が格納されている。図８（ｃ）に示す例では、要求元ＡＰ＿ＩＤフィールドに、情報取得要求パケットの要求元となる無線ＡＰ２１ａのＡＰ＿ＩＤが格納されている。図８（ｃ）に示す例では、要求先ＡＰ＿ＩＤフィールドに、情報取得要求パケットの要求先となる無線ＡＰ２１ｂのＡＰ＿ＩＤが格納されている。図８（ｃ）に示す例では、ペイロードフィールドには、「積雪量」及び「温度」が、送信を要求する元情報の種別として格納されている。尚、ペイロードフィールドには、要求先の無線ＡＰ２１ｂが「積雪量」及び「温度」を送信する間隔を示す「通知間隔」が格納されていてもよい。
【００７４】
無線ＡＰ２１ａが備えるパケット生成部２１６１は、周辺ＡＰ情報を参照することで、いずれの種別の元情報をいずれの無線ＡＰ２１に対して要求するかを決定すると共に、当該決定内容に基づいて情報取得要求パケットを生成することが好ましい。
【００７５】
再び図７において、その後、移動端末３０は、無線ＡＰ２１ａから送信される情報取得要求パケットを、他の無線ＡＰ２１ｂに対して転送する（ステップＳ２０４）。この転送の態様は、上述したステップＳ２０１からステップＳ２０２における転送の態様と同様であってもよい。
【００７６】
その後、無線ＡＰ２１ｂが備える信号処理部２１６５は、移動端末３０から送信される（言い換えれば、転送される）情報取得要求パケットを受信する（ステップＳ３０４）。無線ＡＰ２１ｂが備える信号処理部２１６５は、受信した情報取得要求パケットの要求先ＡＰ＿ＩＤフィールドに格納されているＡＰ＿ＩＤが無線ＡＰ２１ｂのＡＰ＿ＩＤと一致しない場合には、受信した情報取得要求パケットを破棄してもよい。他方で、無線ＡＰ２１ｂが備える信号処理部２１６５は、受信した情報取得要求パケットの要求先ＡＰ＿ＩＤフィールドに格納されているＡＰ＿ＩＤが無線ＡＰ２１ｂのＡＰ＿ＩＤと一致する場合には、応答メッセージとしての情報取得応答パケットを生成するように、無線ＡＰ２１ｂが備えるパケット生成部２１６１を制御する。その結果、無線ＡＰ２１ｂが備えるパケット生成部２１６１は、情報取得応答パケットを生成する（ステップＳ３０５）。その後、無線ＡＰ２１ｂが備えるパケット生成部２１６１は、生成した情報取得応答パケットを、無線ＡＰ２１ｂがカバーするカバーエリア２９ｂ内に位置する移動端末３０に対して送信する（ステップＳ３０５）。
【００７７】
情報取得応答パケットは、図８（ｄ）に示すように、パケットＩＤフィールドと、パケット種類フィールドと、パケットの応答元（送信元）となる無線ＡＰ２１を示す応答元ＡＰ＿ＩＤフィールドと、パケットの応答先（送信先）となる無線ＡＰ２１を示す応答先ＡＰ＿ＩＤフィールドと、応答する情報取得要求パケットを一意に特定するための識別子を示すペイロードフィールドとを備えている。図８（ｄ）に示す例では、パケットＩＤフィールドに「２」が格納されている。図８（ｄ）に示す例では、パケット種類フィールドに、当該パケットの種類が情報取得応答パケットであることを示す識別番号「＃２」が格納されている。図８（ｄ）に示す例では、応答元ＡＰ＿ＩＤフィールドに、情報取得応答パケットの応答元となる無線ＡＰ２１ｂのＡＰ＿ＩＤが格納されている。図８（ｄ）に示す例では、応答先ＡＰ＿ＩＤフィールドに、情報取得応答パケットの応答先となる無線ＡＰ２１ａのＡＰ＿ＩＤが格納されている。図８（ｄ）に示す例では、ペイロードフィールドには、応答する情報取得要求パケットを一意に特定することができる識別子（例えば、受信した情報取得要求パケットに含まれるパケットＩＤ等）が格納されている。
【００７８】
再び図７において、その後、移動端末３０は、無線ＡＰ２１ｂから送信される情報取得応答パケットを、無線ＡＰ２１ａに対して転送する（ステップＳ２０５）。この転送の態様は、上述したステップＳ２０１からステップＳ２０４における転送の態様と同様であってもよい。
【００７９】
その後、無線ＡＰ２１ａが備える信号処理部２１６５は、移動端末３０から送信される（言い換えれば、転送される）情報取得応答パケットを受信する（ステップＳ１０５）。無線ＡＰ２１ａが備える信号処理部２１６５は、受信した情報取得応答パケットの応答先ＡＰ＿ＩＤフィールドに格納されているＡＰ＿ＩＤが無線ＡＰ２１ａのＡＰ＿ＩＤと一致しない場合には、受信した情報取得応答パケットを破棄してもよい。この場合、無線ＡＰ２１ａが備えるパケット生成部２１６１は、所定時間経過後に再度情報取得要求パケットを送信することが好ましい。他方で、無線ＡＰ２１ａが備える信号処理部２１６５は、受信した情報取得応答パケットの応答先ＡＰ＿ＩＤフィールドに格納されているＡＰ＿ＩＤが無線ＡＰ２１ａのＡＰ＿ＩＤと一致する場合には、受信した情報取得応答パケットのペイロードフィールドを参照することで、受信した情報取得応答パケットがステップＳ１０４で送信した情報取得要求パケットに対する応答メッセージであるか否かを判定する。無線ＡＰ２１ａが備えるパケット生成部２１６１は、受信した情報取得応答パケットがステップＳ１０４で送信した情報取得要求パケットに対する応答メッセージでない場合は、所定時間経過後に再度情報取得要求パケットを送信することが好ましい。加えて、ＡＰ２１ａが備えるパケット生成部２１６１は、情報取得応答パケットそのものを受信していない場合にも、所定時間経過後に再度情報取得要求パケットを送信することが好ましい。
【００８０】
尚、上述の説明は、無線ＡＰ２１ａが、元情報の送信を他の無線ＡＰ２１ｂに要求する処理についての説明である。しかしながら、無線ＡＰ２１ａが、元情報の送信を他の無線ＡＰ２１ｃに要求する処理も同様の態様で行われてもよい。
【００８１】
受信した情報取得応答パケットがステップＳ１０４で送信した情報取得要求パケットに対する応答メッセージである場合には、無線ＡＰ２１ａは、他の無線ＡＰ２１ｂから元情報を収集する（つまり、受信する）処理を行う（ステップＳ１０６からステップＳ１０７、ステップＳ２０６及びステップＳ３０６）。
【００８２】
具体的には、無線ＡＰ２１ｂが備える信号処理部２１６５は、ステップＳ３０４で受信した情報取得要求パケットの要求先ＡＰ＿ＩＤフィールドに格納されているＡＰ＿ＩＤが無線ＡＰ２１ｂのＡＰ＿ＩＤと一致する場合には、情報通知パケットの生成及び送信を行うように、無線ＡＰ２１ｂが備えるパケット生成部２１６１を制御する。このとき、無線ＡＰ２１ｂが備える信号処理部２１６５は、ステップＳ３０４で受信した情報取得要求パケットのペイロードフィールドに格納されている、送信を要求する元情報の種別や通知間隔等をパケット生成部２１６１に対して通知することが好ましい。その結果、無線ＡＰ２１ｂが備えるパケット生成部２１６１は、送信が要求されている種別の元情報を含む情報通知パケットを生成する（ステップＳ３０６）。その後、無線ＡＰ２１ｂが備えるパケット生成部２１６１は、生成した情報通知パケットを、無線ＡＰ２１ｂがカバーするカバーエリア２９ｂ内に位置する移動端末３０に対して送信する（ステップＳ３０６）。尚、情報通知パケットの生成及び送信は、ステップＳ３０４で受信した情報取得要求パケットのペイロードフィールドに格納されている通知間隔に同期したタイミングで行われることが好ましい。
【００８３】
情報通知パケットは、図８（ｅ）に示すように、パケットＩＤフィールドと、パケット種類フィールドと、パケットの通知元（送信元）となる無線ＡＰ２１を示す通知元ＡＰ＿ＩＤフィールドと、パケットの通知先（送信先）となる無線ＡＰ２１を示す通知先ＡＰ＿ＩＤフィールドと、送信する元情報を含むペイロードフィールドとを備えている。図８（ｅ）に示す例では、パケットＩＤフィールドに「３」が格納されている。図８（ｅ）に示す例では、パケット種類フィールドに、当該パケットの種類が情報通知パケットであることを示す識別番号「＃３」が格納されている。図８（ｅ）に示す例では、通知元ＡＰ＿ＩＤフィールドに、情報通知パケットの通知元となる無線ＡＰ２１ｂのＡＰ＿ＩＤが格納されている。図８（ｅ）に示す例では、通知先ＡＰ＿ＩＤフィールドに、情報通知パケットの通知先となる無線ＡＰ２１ａのＡＰ＿ＩＤが格納されている。ペイロードフィールドには、送信する元情報として、「積雪量（ｃｍ）」を示す情報や「温度（℃）」を示す情報が格納されている。
【００８４】
再び図７において、その後、移動端末３０は、無線ＡＰ２１ｂから送信される情報通知パケットを、無線ＡＰ２１ａに対して転送する（ステップＳ２０６）。この転送の態様は、上述したステップＳ２０１からステップＳ２０５における転送の態様と同様であってもよい。
【００８５】
その後、無線ＡＰ２１ａが備える信号処理部２１６５は、移動端末３０から送信される（言い換えれば、転送される）情報通知パケットを受信する（ステップＳ１０６）。無線ＡＰ２１ａが備える信号処理部２１６５は、受信した情報通知パケットの通知先ＡＰ＿ＩＤフィールドに格納されているＡＰ＿ＩＤが無線ＡＰ２１ａのＡＰ＿ＩＤと一致しない場合には、受信した情報通知パケットを破棄してもよい。他方で、無線ＡＰ２１ａが備える信号処理部２１６５は、受信した情報通知パケットの通知先ＡＰ＿ＩＤフィールドに格納されているＡＰ＿ＩＤが無線ＡＰ２１ａのＡＰ＿ＩＤと一致する場合には、受信した情報通知パケットのペイロードフィールドを参照することで、元情報を取得する。その後、無線ＡＰ２１ａが備える信号処理部２１６５は、取得した元情報を、ブロードキャストするためのフォーマットを有するブロードキャスト情報に変換する（ステップＳ１０７）。その後、無線ＡＰ２１ａが備える信号処理部２１６５は、変換によって生成されたブロードキャスト情報をメモリ部２１６３に格納する（ステップＳ１０７）。
【００８６】
尚、上述の説明は、無線ＡＰ２１ａが、他の無線ＡＰ２１ｂから元情報を収集する（つまり、受信する）処理についての説明である。しかしながら、無線ＡＰ２１ａが、他の無線ＡＰ２１ｃから元情報を収集する（つまり、受信する）処理も同様の態様で行われてもよい。
【００８７】
続いて、無線ＡＰ２１ａは、他の無線ＡＰ２１ｂからの元情報の収集動作を終了する処理を行う（ステップＳ１０８からステップＳ１０９、ステップＳ２０８からステップＳ２０９及びステップＳ３０８からステップＳ３０９）。
【００８８】
具体的には、無線ＡＰ２１ａが備えるパケット生成部２１６１は、他の無線ＡＰ２１ｂからの元情報の収集動作の終了を当該他の無線ＡＰｂに要求するための情報終了要求パケットを生成する（ステップＳ１０８）。無線ＡＰ２１ａが備えるパケット生成部２１６１は、生成した情報終了要求パケットを、無線ＡＰ２１ａがカバーするカバーエリア２９ａ内に位置する移動端末３０に対して送信する（ステップＳ１０８）。
【００８９】
情報終了要求パケットは、図８（ｆ）に示すように、パケットＩＤフィールドと、パケット種類フィールドと、パケットの要求元（送信元）となる無線ＡＰ２１を示す要求元ＡＰ＿ＩＤフィールドと、パケットの要求先（送信先）となる無線ＡＰ２１を示す要求先ＡＰ＿ＩＤフィールドと、ペイロードフィールドとを備えている。図８（ｆ）に示す例では、パケットＩＤフィールドに「４」が格納されている。図８（ｆ）に示す例では、パケット種類フィールドに、当該パケットの種類が情報終了要求パケットであることを示す識別番号「＃４」が格納されている。図８（ｆ）に示す例では、要求元ＡＰ＿ＩＤフィールドに、情報終了要求パケットの要求元となる無線ＡＰ２１ａのＡＰ＿ＩＤが格納されている。図８（ｆ）に示す例では、要求先ＡＰ＿ＩＤフィールドに、情報終了要求パケットの要求先となる無線ＡＰ２１ｂのＡＰ＿ＩＤが格納されている。ペイロードフィールドには、任意の情報が格納されていてもよいし、情報が格納されていなくてもよい。
【００９０】
再び図７において、その後、移動端末３０は、無線ＡＰ２１ａから送信される情報終了要求パケットを、他の無線ＡＰ２１ｂに対して転送する（ステップＳ２０８）。この転送の態様は、上述したステップＳ２０１からステップＳ２０６における転送の態様と同様であってもよい。
【００９１】
その後、無線ＡＰ２１ｂが備える信号処理部２１６５は、移動端末３０から送信される（言い換えれば、転送される）情報終了要求パケットを受信する（ステップＳ３０８）。無線ＡＰ２１ｂが備える信号処理部２１６５は、受信した情報終了要求パケットの要求先ＡＰ＿ＩＤフィールドに格納されているＡＰ＿ＩＤが無線ＡＰ２１ｂのＡＰ＿ＩＤと一致しない場合には、受信した情報終了要求パケットを破棄してもよい。他方で、無線ＡＰ２１ｂが備える信号処理部２１６５は、受信した情報終了要求パケットの要求先ＡＰ＿ＩＤフィールドに格納されているＡＰ＿ＩＤが無線ＡＰ２１ｂのＡＰ＿ＩＤと一致する場合には、応答メッセージとしての情報終了応答パケットを生成するように、無線ＡＰ２１ｂが備えるパケット生成部２１６１を制御する。その結果、無線ＡＰ２１ｂが備えるパケット生成部２１６１は、情報終了応答パケットを生成する（ステップＳ３０９）。その後、無線ＡＰ２１ｂが備えるパケット生成部２１６１は、生成した情報終了応答パケットを、無線ＡＰ２１ｂがカバーするカバーエリア２９ｂ内に位置する移動端末３０に対して送信する（ステップＳ３０９）。
【００９２】
情報終了応答パケットは、図８（ｇ）に示すように、パケットＩＤフィールドと、パケット種類フィールドと、パケットの応答元（送信元）となる無線ＡＰ２１を示す応答元ＡＰ＿ＩＤフィールドと、パケットの応答先（送信先）となる無線ＡＰ２１を示す応答先ＡＰ＿ＩＤフィールドと、応答する情報終了要求パケットを一意に特定するための識別子を示すペイロードフィールドとを備えている。図８（ｇ）に示す例では、パケットＩＤフィールドに「５」が格納されている。図８（ｇ）に示す例では、パケット種類フィールドに、当該パケットの種類が情報終了応答パケットであることを示す識別番号「＃５」が格納されている。図８（ｇ）に示す例では、応答元ＡＰ＿ＩＤフィールドに、情報終了応答パケットの応答元となる無線ＡＰ２１ｂのＡＰ＿ＩＤが格納されている。図８（ｇ）に示す例では、応答先ＡＰ＿ＩＤフィールドに、情報終了応答パケットの応答先となる無線ＡＰ２１ａのＡＰ＿ＩＤが格納されている。図８（ｇ）に示す例では、ペイロードフィールドには、応答する情報終了要求パケットを一意に特定することができる識別子（例えば、受信した情報終了要求パケットに含まれるパケットＩＤ等）が格納されている。
【００９３】
再び図７において、その後、移動端末３０は、無線ＡＰ２１ｂから送信される情報終了応答パケットを、無線ＡＰ２１ａに対して転送する（ステップＳ２０９）。この転送の態様は、上述したステップＳ２０１からステップＳ２０８における転送の態様と同様であってもよい。
【００９４】
その後、無線ＡＰ２１ａが備える信号処理部２１６５は、移動端末３０から送信される（言い換えれば、転送される）情報終了応答パケットを受信する（ステップＳ１０９）。無線ＡＰ２１ａが備える信号処理部２１６５は、受信した情報終了応答パケットの応答先ＡＰ＿ＩＤフィールドに格納されているＡＰ＿ＩＤが無線ＡＰ２１ａのＡＰ＿ＩＤと一致しない場合には、受信した情報終了応答パケットを破棄してもよい。他方で、無線ＡＰ２１ａが備える信号処理部２１６５は、受信した情報終了応答パケットの応答先ＡＰ＿ＩＤフィールドに格納されているＡＰ＿ＩＤが無線ＡＰ２１ａのＡＰ＿ＩＤと一致する場合には、元情報の収集の終了が完了したと認識する。
【００９５】
尚、上述の説明は、無線ＡＰ２１ａが他の無線ＡＰ２１ｂからの元情報の収集動作を終了する処理についての説明である。しかしながら、無線ＡＰ２１ａが他の無線ＡＰ２１ｃからの元情報の収集動作を終了する処理も同様の態様で行われてもよい。
【００９６】
続いて、無線ＡＰ２１ａが備えるブロードキャスト情報生成部２１６２は、収集した元情報から生成されたブロードキャスト情報をブロードキャストする（ステップＳ１１０）。具体的には、無線ＡＰ２１ａが備えるブロードキャスト情報生成部２１６２は、メモリ部２１６３に格納されているブロードキャスト情報の一部又は全部を抽出する。その後、無線ＡＰ２１ａが備えるブロードキャスト情報生成部２１６２は、抽出したブロードキャスト情報を、無線ＡＰ２１ａがカバーするカバーエリア２９ａにブロードキャストする。その結果、無線ＡＰ２１ａがカバーするカバーエリア２９ａ内に位置する移動端末３０は、ブロードキャスト情報を受信する（ステップＳ２１０）。
【００９７】
尚、図７に示すステップＳ２０１からステップＳ２１０の各ステップは、同一の移動端末３０によって行われてもよいし、夫々異なる移動端末３０によって行われてもよい。実際の移動端末３０の移動状況（移動傾向）を考慮すれば、各ステップの動作は、異なる移動端末３０によって行われることが多いと想定される。
【００９８】
また、上述した説明では、１つの無線ＡＰ２１（無線ＡＰ２１ａ）が複数の無線ＡＰ２１（無線ＡＰ２１ｂ及び無線ＡＰ２１ｃ）から収集した情報をブロードキャストする例について説明している。しかしながら、１つの無線ＡＰ２１が１つの無線ＡＰ２１から収集した情報をブロードキャストしてもよい。或いは、複数の無線ＡＰ２１の夫々が１つ又は複数の無線ＡＰ２１から収集した情報をブロードキャストしてもよい。
【００９９】
以上説明したように、第１実施形態によれば、無線ＡＰ２１ａは、無線ＡＰ２１ｂ及び無線ＡＰ２１ｃから送信される元情報（例えば、センサ２１６４が検出した、積雪量や温度や風速等の測定結果情報）を、移動端末３０を介して無線通信で収集することができる。加えて、無線ＡＰ２１ａは、収集した元情報をブロードキャスト用のフォーマットを有するブロードキャスト情報に変換すると共に、当該変換したブロードキャスト情報をブロードキャストすることができる。このため、移動端末３０は、山間部の山麓付近で（つまり、無線ＡＰ２１ａのカバーエリア２９ａ内にいる時点で）、無線ＡＰ２１ｂや無線ＡＰ２１ｃが設置されている山頂付近又は峠道の途中付近の気象情報を好適に取得することができる。言い換えれば、移動端末３０は、山間部の山頂付近又は峠道の途中付近に到達する前に（つまり、無線ＡＰ２１ｂのカバーエリア２９ｂや無線ＡＰ２１ｃのカバーエリア２９ｃに到達する前の時点で）、無線ＡＰ２１ｂや無線ＡＰ２１ｃが設置されている山頂付近又は峠道の途中付近の気象情報を好適に取得することができる。
【０１００】
第１実施形態によれば、無線ＡＰ２１ａと無線ＡＰ２１ｂとの間又は無線ＡＰ２１ａと無線ＡＰ２１ｃとの間を接続する有線の専用線を敷設しなくとも、無線ＡＰ２１ａは、無線ＡＰ２１ｂ及び無線ＡＰ２１ｃから送信される元情報を収集することができる。このため、上記無線通信システム１を導入するコストを低減することができる。
【０１０１】
第１実施形態によれば、無線ＡＰ２１は、自局と直接通信できない他の無線ＡＰが有する所望の情報を、移動端末を介して要求し取得することができる。そして、無線ＡＰ２１は、取得した当該他の無線ＡＰからの情報を自局のカバーエリアにブロードキャストすることができる。また、送信電力が相対的に小さい無線ＡＰ２１を用いることにより、局所的なエリアに対して局所的な情報（局所的なブロードキャスト情報）を好適にブロードキャストすることができる。
【０１０２】
尚、上述した先行技術文献に開示されている技術は、送信電力が相対的に大きい無線基地局のみを対象としている点で、第１実施形態の無線ＡＰ２１とは異なる。加えて、上述した先行技術文献に開示されている技術は、無線基地局間の有線通信ができない場合に、移動端末を介してある無線基地局から他の無線基地局へと情報をそのまま転送している。しかしながら、上述した先行技術文献に開示されている技術は、無線基地局間での単なる情報の転送に過ぎず（つまり、転送した情報に何らかのデータ処理を施すことはない）、転送した情報をブロードキャストすることは技術的に困難である。加えて、上述した先行技術文献に開示されている技術は、１：１の無線基地局間での単なる情報の転送に過ぎず（つまり、多：１、１対多又は多：多の無線基地局間での転送は考慮していない）、複数の無線ＡＰ２１から収集した情報をブロードキャスト用にデータ処理すると共にブロードキャストすることは技術的に困難である。この点でも、上述した先行技術文献と第１実施形態の無線ＡＰ２１とは異なる。
【０１０３】
さらに、第１実施形態によれば、情報送信元の無線ＡＰ２１は転送を担う移動端末３０を識別しなくてもよく、無線ＡＰ２１のカバーエリア２９に存在する任意の移動端末３０を情報の転送媒体とすることが可能である。また、当該移動端末３０は情報送信元及び情報転送先の無線ＡＰ２１を識別する処理をせずに情報転送することが可能である。
【０１０４】
（２）第２実施形態
図９から図１３を参照して、第２実施形態の無線通信システム２について説明する。尚、第２実施形態の無線通信システム２では、第１実施形態の無線通信システム１と比較して、無線ＡＰ２０の構成及び動作が異なっている。無線ＡＰ２０の構成及び動作以外については、第２実施形態の無線通信システム２は、第１実施形態の無線通信システム１と同一であってもよいし異なっていてもよい。以下では、説明の簡略化のために、第１実施形態の無線通信システム１とは異なる第２実施形態の無線ＡＰ２０の構成及び動作に着目して説明を進める。
【０１０５】
尚、以下では、第２実施形態の無線ＡＰ２０を、第１及び第３実施形態の無線ＡＰ２０と区別するために、“無線ＡＰ２２”と表記する。
【０１０６】
（２−１）無線ＡＰの構成
図９を参照して、第２実施形態の無線ＡＰ２２の構成について説明する。図９は、第２実施形態の無線ＡＰ２２の機能ブロックを示すブロック図である。
【０１０７】
図９に示すように、第２実施形態の無線ＡＰ２２は、第１実施形態の無線ＡＰ２１と同様に、アンテナ２１１と、ＲＦ（Radio Frequency）部２１２と、変復調部２１３と、符号化部２１４と、復号部２１５と、制御部２２６とを備える。第２実施形態の制御部２２６は、第１実施形態の制御部２１６と同様に、パケット生成部２１６１と、ブロードキャスト情報生成部２１６２と、メモリ部２１６３と、信号処理部２１６５とを備える。
【０１０８】
第２実施形態の無線ＡＰ２２は、センサ２１６４を備えておらず且つ情報入力部２２６６を備えているという点で第１実施形態の無線ＡＰ２１とは異なる。
【０１０９】
情報入力部２２６６は、ブロードキャストに用いる情報（元情報であり、例えば後述の特売情報や混雑情報等）を無線ＡＰ２２に入力する。情報入力部２２６６は、例えば、ユーザによって操作可能な各種入力装置（例えば、キーボードやマウス等）であってもよい。この場合、元情報は、ユーザによって入力される。或いは、情報入力部２２６６は、外部入力（例えば、ユーザの入力や、無線ＡＰ２２の外部若しくは内部に備え付けられるセンサの検出結果等）に応じて元情報を適宜生成する演算装置であってもよい。
【０１１０】
（２−２）無線通信システムの動作
図１０及び図１１を参照して、第２実施形態の無線通信システム２の動作について説明する。図１０は、第２実施形態の無線通信システム２の動作の流れの一例を示すシーケンス図である。図１１は、第２実施形態の無線通信システム２の動作で用いられる各種情報（各種パケット）を示すデータ構造図である。
【０１１１】
第２実施形態の無線通信システム２では、ある無線ＡＰ２２（例えば、大型商業施設の売場付近に設置される無線ＡＰ２２ａ）が、他の無線ＡＰ２２（例えば、大型商業施設の外部に設置される無線ＡＰ２２ｂ又は無線ＡＰ２２ｃ）に対して、ブロードキャストを行うように要求すると共にブロードキャストの対象となる元情報を送信する態様が、利用態様の一例として想定される。以下では、無線ＡＰ２２ａが、大型商業施設の売場付近に設置され、無線ＡＰ２２ｂが大型商業施設の外部に設置される例について説明を進める。
【０１１２】
また、以下の説明では、無線ＡＰ２２ａが備える情報入力部２２６６によって入力された元情報（例えば、売場の特売品を示す特売情報や売場の混雑状況を示す混雑情報等）を無線ＡＰ２２ｂに対して送信すると共に、無線ＡＰ２２ｂが特売情報や混雑情報等をブロードキャストする例について説明を進める。
【０１１３】
尚、この利用態様では、ブロードキャストをする側の無線ＡＰ２２（例えば、大型商業施設の外部に設置される無線ＡＰ２２ｂ）は、情報入力部２２６６を備えていなくともよい。一方で、ブロードキャストをする側でない無線ＡＰ２２（例えば、大型商業施設の売場に設置される無線ＡＰ２２ａ）は、ブロードキャスト情報生成部２１６２を備えていなくともよい。
【０１１４】
図１０に示すように、第２実施形態においても、第１実施形態と同様に、無線ＡＰ２２ａは、無線ＡＰ２２ａの存在を、他の無線ＡＰ２２ｂに認識させるための処理及び他の無線ＡＰ２２ｂ及び無線ＡＰ２２ｃを認識するための処理を行う。
【０１１５】
その後、無線ＡＰ２２ａは、他の無線ＡＰ２２ｂに対して、ブロードキャストを行うように要求する処理を行う（ステップＳ１１１からステップＳ１１２、ステップＳ２１１からステップＳ２１２及びステップＳ３１１からステップＳ３１２）。
【０１１６】
具体的には、無線ＡＰ２２ａが備えるパケット生成部２１６１は、ブロードキャストを行うように他の無線ＡＰ２２ｂに要求するためのブロードキャスト要求パケットを生成する（ステップＳ１１１）。無線ＡＰ２２ａが備えるパケット生成部２１６１は、生成したブロードキャスト要求パケットを、無線ＡＰ２２ａがカバーするカバーエリア２９ａ内に位置する移動端末３０に対して送信する（ステップＳ１１１）。
【０１１７】
ブロードキャスト要求パケットは、図１１（ａ）に示すように、パケットＩＤフィールドと、パケット種類フィールドと、パケットの要求元（送信元）となる無線ＡＰ２２を示す要求元ＡＰ＿ＩＤフィールドと、パケットの要求先（送信先）となる無線ＡＰ２２を示す要求先ＡＰ＿ＩＤフィールドと、ペイロードフィールドとを備えている。図１１（ａ）に示す例では、パケットＩＤフィールドに「０」が格納されている。図１１（ａ）に示す例では、パケット種類フィールドに、当該パケットの種類がブロードキャスト要求パケットであることを示す識別番号「＃６」が格納されている。図１１（ａ）に示す例では、要求元ＡＰ＿ＩＤフィールドに、ブロードキャスト要求パケットの要求元となる無線ＡＰ２２ａのＡＰ＿ＩＤが格納されている。図１１（ａ）に示す例では、要求先ＡＰ＿ＩＤフィールドに、ブロードキャスト要求パケットの要求先となる無線ＡＰ２２ｂのＡＰ＿ＩＤが格納されている。ペイロードフィールドには、任意の情報が格納されていてもよいし、情報が格納されていなくともよい。
【０１１８】
再び図１０において、その後、移動端末３０は、無線ＡＰ２２ａから送信されるブロードキャスト要求パケットを、他の無線ＡＰ２２ｂに対して転送する（ステップＳ２１１）。この転送の態様は、上述したステップＳ２０１及びステップＳ２０９における転送の態様と同様であってもよい。
【０１１９】
その後、無線ＡＰ２２ｂが備える信号処理部２１６５は、移動端末３０から送信される（言い換えれば、転送される）ブロードキャスト要求パケットを受信する（ステップＳ３１１）。無線ＡＰ２２ｂが備える信号処理部２１６５は、受信したブロードキャスト要求パケットの要求先ＡＰ＿ＩＤフィールドに格納されているＡＰ＿ＩＤが無線ＡＰ２２ｂのＡＰ＿ＩＤと一致しない場合には、受信したブロードキャスト要求パケットを破棄してもよい。他方で、無線ＡＰ２２ｂが備える信号処理部２１６５は、受信したブロードキャスト要求パケットの要求先ＡＰ＿ＩＤフィールドに格納されているＡＰ＿ＩＤが無線ＡＰ２２ｂのＡＰ＿ＩＤと一致する場合には、応答メッセージとしてのブロードキャスト応答パケットを生成するように、無線ＡＰ２２ｂが備えるパケット生成部２１６１を制御する。その結果、無線ＡＰ２２ｂが備えるパケット生成部２１６１は、ブロードキャスト応答パケットを生成する（ステップＳ３１２）。その後、無線ＡＰ２２ｂが備えるパケット生成部２１６１は、生成したブロードキャスト応答パケットを、無線ＡＰ２２ｂがカバーするカバーエリア２９ｂ内に位置する移動端末３０に対して送信する（ステップＳ３１２）。
【０１２０】
ブロードキャスト応答パケットは、図１１（ｂ）に示すように、パケットＩＤフィールドと、パケット種類フィールドと、パケットの応答元（送信元）となる無線ＡＰ２２を示す応答元ＡＰ＿ＩＤフィールドと、パケットの応答先（送信先）となる無線ＡＰ２２を示す応答先ＡＰ＿ＩＤフィールドと、応答するブロードキャスト要求パケットを一意に特定するための識別子を示すペイロードフィールドとを備えている。図１１（ｂ）に示す例では、パケットＩＤフィールドに「１」が格納されている。図１１（ｂ）に示す例では、パケット種類フィールドに、当該パケットの種類がブロードキャスト応答パケットであることを示す識別番号「＃７」が格納されている。図１１（ｂ）に示す例では、応答元ＡＰ＿ＩＤフィールドに、ブロードキャスト応答パケットの応答元となる無線ＡＰ２２ｂのＡＰ＿ＩＤが格納されている。図１１（ｂ）に示す例では、応答先ＡＰ＿ＩＤフィールドに、ブロードキャスト応答パケットの応答先となる無線ＡＰ２２ａのＡＰ＿ＩＤが格納されている。図１１（ｂ）に示す例では、ペイロードフィールドには、応答するブロードキャスト要求パケットを一意に特定することができる識別子（例えば、受信したブロードキャスト要求パケットに含まれるパケットＩＤ等）が格納されている。
【０１２１】
再び図１０において、その後、移動端末３０は、無線ＡＰ２２ｂから送信されるブロードキャスト応答パケットを、無線ＡＰ２２ａに対して転送する（ステップＳ２１２）。この転送の態様は、上述したステップＳ２０１からステップＳ２０９及びステップＳ２１１における転送の態様と同様であってもよい。
【０１２２】
その後、無線ＡＰ２２ａが備える信号処理部２１６５は、移動端末３０から送信される（言い換えれば、転送される）ブロードキャスト応答パケットを受信する（ステップＳ１１２）。無線ＡＰ２２ａが備える信号処理部２１６５は、受信したブロードキャスト応答パケットの応答先ＡＰ＿ＩＤフィールドに格納されているＡＰ＿ＩＤが無線ＡＰ２２ａのＡＰ＿ＩＤと一致しない場合には、受信したブロードキャスト応答パケットを破棄してもよい。この場合、無線ＡＰ２２ａが備えるパケット生成部２１６１は、所定時間経過後に再度ブロードキャスト要求パケットを送信することが好ましい。他方で、無線ＡＰ２２ａが備える信号処理部２１６５は、受信したブロードキャスト応答パケットの応答先ＡＰ＿ＩＤフィールドに格納されているＡＰ＿ＩＤが無線ＡＰ２２ａのＡＰ＿ＩＤと一致する場合には、受信したブロードキャスト応答パケットのペイロードフィールドを参照することで、受信したブロードキャスト応答パケットがステップＳ１１１で送信したブロードキャスト要求パケットに対する応答メッセージであるか否かを判定する。無線ＡＰ２２ａが備えるパケット生成部２１６１は、受信したブロードキャスト応答パケットがステップＳ１１１で送信したブロードキャスト要求パケットに対する応答メッセージでない場合は、所定時間経過後に再度ブロードキャスト要求パケットを送信することが好ましい。また、無線ＡＰ２２ａが備えるパケット生成部２１６１は、ブロードキャスト応答パケットそのものを受信していない場合にも、所定時間経過後に再度ブロードキャスト要求パケットを送信することが好ましい。
【０１２３】
受信したブロードキャスト応答パケットがステップＳ１１１で送信したブロードキャスト要求パケットに対する応答メッセージである場合には、無線ＡＰ２２ａは、ブロードキャストを希望する元情報（例えば、情報入力部２２６６によって入力される特売情報や混雑状況）のブロードキャストを、他の無線ＡＰ２２ｂに対して行わせる処理を行う（ステップＳ１１３、ステップＳ２１３からステップＳ２１５及びステップＳ３１３からステップＳ３１５）。
【０１２４】
具体的には、無線ＡＰ２２ａが備えるパケット生成部２１６１は、ブロードキャストを希望する元情報を他の無線ＡＰ２２ｂに通知するためのブロードキャスト内容通知パケットを生成する（ステップＳ１１３）。その後、無線ＡＰ２２ａが備えるパケット生成部２１６１は、生成したブロードキャスト内容通知パケットを、無線ＡＰ２２ａがカバーするカバーエリア２９ａ内に位置する移動端末３０に対して送信する（ステップＳ１１３）。
【０１２５】
ブロードキャスト内容通知パケットは、図１１（ｃ）に示すように、パケットＩＤフィールドと、パケット種類フィールドと、パケットの通知元（送信元）となる無線ＡＰ２２を示す通知元ＡＰ＿ＩＤフィールドと、パケットの通知先（送信先）となる無線ＡＰ２２を示す通知先ＡＰ＿ＩＤフィールドと、ブロードキャストを希望する元情報を含むペイロードフィールドとを備えている。図１１（ｃ）に示す例では、パケットＩＤフィールドに「２」が格納されている。図１１（ｃ）に示す例では、パケット種類フィールドに、当該パケットの種類がブロードキャスト内容通知パケットであることを示す識別番号「＃８」が格納されている。図１１（ｃ）に示す例では、通知元ＡＰ＿ＩＤフィールドに、ブロードキャスト内容通知パケットの通知元となる無線ＡＰ２２ａのＡＰ＿ＩＤが格納されている。図１１（ｃ）に示す例では、通知先ＡＰ＿ＩＤフィールドに、ブロードキャスト内容通知パケットの通知先となる無線ＡＰ２２ｂのＡＰ＿ＩＤが格納されている。図１１（ｃ）に示す例では、ペイロードフィールドには、ブロードキャストを希望する元情報として、特売品を示す特売情報や混雑状況を示す混雑情報が格納されている。尚、ペイロードフィールドには、ブロードキャストを行う期間を指定する「ブロードキャスト期間」が格納されていてもよい。
【０１２６】
再び図１０において、その後、移動端末３０は、無線ＡＰ２２ａから送信されるブロードキャスト内容通知パケットを、無線ＡＰ２２ｂに対して転送する（ステップＳ２１３）。この転送の態様は、上述したステップＳ２０１からステップＳ２０９及びステップＳ２１１からステップＳ２１２における転送の態様と同様であってもよい。
【０１２７】
その後、無線ＡＰ２２ｂが備える信号処理部２１６５は、移動端末３０から送信される（言い換えれば、転送される）ブロードキャスト内容通知パケットを受信する（ステップＳ３１３）。無線ＡＰ２２ｂが備える信号処理部２１６５は、受信したブロードキャスト内容通知パケットの通知先ＡＰ＿ＩＤフィールドに格納されているＡＰ＿ＩＤが無線ＡＰ２２ｂのＡＰ＿ＩＤと一致しない場合には、受信したブロードキャスト内容通知パケットを破棄してもよい。他方で、無線ＡＰ２２ｂが備える信号処理部２１６５は、受信したブロードキャスト内容通知パケットの通知先ＡＰ＿ＩＤフィールドに格納されているＡＰ＿ＩＤが無線ＡＰ２２ｂのＡＰ＿ＩＤと一致する場合には、受信したブロードキャスト内容通知パケットのペイロードフィールドを参照することで、元情報を取得する。このとき、無線ＡＰ２２ｂが備える信号処理部２１６５は、ステップＳ３１３で受信したブロードキャスト内容通知パケットのペイロードフィールドに格納されているブロードキャスト期間等をブロードキャスト情報生成部２１６２に対して通知することが好ましい。その後、無線ＡＰ２２ｂが備える信号処理部２１６５は、取得した元情報を、ブロードキャストするためのフォーマットを有するブロードキャスト情報に変換する（ステップＳ３１４）。その後、無線ＡＰ２１ａが備えるブロードキャスト情報生成部２１６２は、ブロードキャスト情報を、無線ＡＰ２２ｂがカバーするカバーエリア２９ｂにブロードキャストする（ステップＳ３１５）。ステップＳ３１４及びステップＳ３１５の動作は、図７に示すステップＳ１０７及びステップＳ１１０の動作と同様の態様で行われてもよい。尚、ブロードキャスト情報のブロードキャストは、ブロードキャスト内容通知パケットのペイロードフィールドに格納されているブロードキャスト期間によって指定されている間は継続して又は断続的に若しくは非断続的に行われることが好ましい。その結果、無線ＡＰ２２ｂがカバーするカバーエリア２９ｂ内に位置する移動端末３０は、ブロードキャスト情報を受信する（ステップＳ２１５）。
【０１２８】
加えて、無線ＡＰ２２ｂが備える信号処理部２１６５は、受信したブロードキャスト内容通知パケットに応じたブロードキャストを行う都度、当該ブロードキャストを行った旨を無線ＡＰ２２ａに通知する処理を行う（ステップＳ１１６、ステップＳ２１６及びステップＳ３１６）。
【０１２９】
具体的には、無線ＡＰ２２ｂが備えるパケット生成部２１６１は、受信したブロードキャスト内容通知パケットに応じたブロードキャストを行う都度、当該ブロードキャストを行った旨を通知するためのブロードキャスト内容応答パケットを生成する（ステップＳ３１６）。その後、無線ＡＰ２２ｂが備えるパケット生成部２１６１は、生成したブロードキャスト内容応答パケットを、無線ＡＰ２２ｂがカバーするカバーエリア２９ｂ内に位置する移動端末３０に対して送信する（ステップＳ３１６）。
【０１３０】
ブロードキャスト内容応答パケットは、図１１（ｄ）に示すように、パケットＩＤフィールドと、パケット種類フィールドと、パケットの応答元（送信元）となる無線ＡＰ２２を示す応答元ＡＰ＿ＩＤフィールドと、パケットの応答先（送信先）となる無線ＡＰ２２を示す応答先ＡＰ＿ＩＤフィールドと、応答するブロードキャスト内容通知パケットを一意に特定するための識別子を示すペイロードフィールドとを備えている。図１１（ｄ）に示す例では、パケットＩＤフィールドに「３」が格納されている。図１１（ｄ）に示す例では、パケット種類フィールドに、当該パケットの種類がブロードキャスト内容応答パケットであることを示す識別番号「＃９」が格納されている。図１１（ｄ）に示す例では、応答元ＡＰ＿ＩＤフィールドに、ブロードキャスト内容応答パケットの応答元となる無線ＡＰ２２ｂのＡＰ＿ＩＤが格納されている。図１１（ｄ）に示す例では、応答先ＡＰ＿ＩＤフィールドに、ブロードキャスト内容応答パケットの応答先となる無線ＡＰ２２ａのＡＰ＿ＩＤが格納されている。図１１（ｄ）に示す例では、ペイロードフィールドには、応答するブロードキャスト内容通知パケットを一意に特定することができる識別子（例えば、受信したブロードキャスト内容通知パケットに含まれるパケットＩＤ等）が格納されている。
【０１３１】
再び図１０において、その後、移動端末３０は、無線ＡＰ２２ｂから送信されるブロードキャスト内容応答パケットを、無線ＡＰ２２ａに対して転送する（ステップＳ２１６）。この転送の態様は、上述したステップＳ２０１からステップＳ２０９及びステップＳ２１１からステップＳ２１３における転送の態様と同様であってもよい。
【０１３２】
その後、無線ＡＰ２２ａが備える信号処理部２１６５は、移動端末３０から送信される（言い換えれば、転送される）ブロードキャスト内容応答パケットを受信する（ステップＳ１１６）。無線ＡＰ２２ａが備える信号処理部２１６５は、受信したブロードキャスト内容応答パケットの応答先ＡＰ＿ＩＤフィールドに格納されているＡＰ＿ＩＤが無線ＡＰ２２ａのＡＰ＿ＩＤと一致しない場合には、受信したブロードキャスト内容応答パケットを破棄してもよい。この場合、無線ＡＰ２２ａが備えるパケット生成部２１６１は、所定時間経過後に再度ブロードキャスト内容通知パケットを送信することが好ましい。他方で、無線ＡＰ２２ａが備える信号処理部２１６５は、受信したブロードキャスト内容応答パケットの応答先ＡＰ＿ＩＤフィールドに格納されているＡＰ＿ＩＤが無線ＡＰ２２ａのＡＰ＿ＩＤと一致する場合には、受信したブロードキャスト内容応答パケットのペイロードフィールドを参照することで、受信したブロードキャスト内容応答パケットがステップＳ１１３で送信したブロードキャスト内容通知パケットに対する応答メッセージであるか否かを判定する。無線ＡＰ２２ａが備えるパケット生成部２１６１は、受信したブロードキャスト内容応答パケットがステップＳ１１３で送信したブロードキャスト内容通知パケットに対する応答メッセージでない場合は、所定時間経過後に再度ブロードキャスト内容通知パケットを送信することが好ましい。また、無線ＡＰ２２ａが備えるパケット生成部２１６１は、ブロードキャスト内容応答パケットそのものを受信していない場合にも、所定時間経過後に再度ブロードキャスト内容通知パケットを送信することが好ましい。
【０１３３】
受信したブロードキャスト内容応答パケットがステップＳ１１３で送信したブロードキャスト内容通知パケットに対する応答メッセージである場合には、無線ＡＰ２２ａは、ステップＳ１１３で送信したブロードキャスト内容通知パケットに応じたブロードキャストが完了したと認識する。
【０１３４】
続いて、無線ＡＰ２２ｂは、ブロードキャストを終了する処理を行う（ステップＳ１１７からステップＳ１１８、ステップＳ２１７からステップＳ２１８及びステップＳ３１７からステップＳ３１８）。
【０１３５】
具体的には、無線ＡＰ２２ｂが備えるパケット生成部２１６１は、ブロードキャスト内容通知パケットのペイロードフィールドに格納されているブロードキャスト期間が経過した後、ブロードキャストの終了を通知するためのブロードキャスト終了通知パケットを生成する（ステップＳ３１７）。無線ＡＰ２２ｂが備えるパケット生成部２１６１は、生成したブロードキャスト終了通知パケットを、無線ＡＰ２２ｂがカバーするカバーエリア２９ｂ内に位置する移動端末３０に対して送信する（ステップＳ３１７）。
【０１３６】
ブロードキャスト終了通知パケットは、図１１（ｅ）に示すように、パケットＩＤフィールドと、パケット種類フィールドと、パケットの通知元（送信元）となる無線ＡＰ２１を示す通知元ＡＰ＿ＩＤフィールドと、パケットの通知先（送信先）となる無線ＡＰ２１を示す通知先ＡＰ＿ＩＤフィールドと、ペイロードフィールドとを備えている。図１１（ｅ）に示す例では、パケットＩＤフィールドに「４」が格納されている。図１１（ｅ）に示す例では、パケット種類フィールドに、当該パケットの種類がブロードキャスト終了通知パケットであることを示す識別番号「＃１０」が格納されている。図１１（ｅ）に示す例では、通知元ＡＰ＿ＩＤフィールドに、ブロードキャスト終了通知パケットの通知元となる無線ＡＰ２２ｂのＡＰ＿ＩＤが格納されている。図１１（ｅ）に示す例では、通知先ＡＰ＿ＩＤフィールドに、ブロードキャスト終了通知パケットの通知先となる無線ＡＰ２２ａのＡＰ＿ＩＤが格納されている。ペイロードフィールドには、任意の情報が格納されていてもよいし、情報が格納されていなくてもよい。
【０１３７】
再び図１０において、その後、移動端末３０は、無線ＡＰ２２ｂから送信されるブロードキャスト終了通知パケットを、他の無線ＡＰ２２ａに対して転送する（ステップＳ２１７）。この転送の態様は、上述したステップＳ２０１からステップＳ２０９及びステップＳ２１１からステップＳ２１６における転送の態様と同様であってもよい。
【０１３８】
その後、無線ＡＰ２２ａが備える信号処理部２１６５は、移動端末３０から送信される（言い換えれば、転送される）ブロードキャスト終了通知パケットを受信する（ステップＳ１１７）。無線ＡＰ２２ａが備える信号処理部２１６５は、受信したブロードキャスト終了通知パケットの通知先ＡＰ＿ＩＤフィールドに格納されているＡＰ＿ＩＤが無線ＡＰ２２ａのＡＰ＿ＩＤと一致しない場合には、受信したブロードキャスト終了通知パケットを破棄してもよい。他方で、無線ＡＰ２２ａが備える信号処理部２１６５は、受信したブロードキャスト終了通知パケットの通知先ＡＰ＿ＩＤフィールドに格納されているＡＰ＿ＩＤが無線ＡＰ２２ａのＡＰ＿ＩＤと一致する場合には、応答メッセージとしてのブロードキャスト終了応答パケットを生成するように、無線ＡＰ２２ａが備えるパケット生成部２１６１を制御する。その結果、無線ＡＰ２２ａが備えるパケット生成部２１６１は、ブロードキャスト終了応答パケットを生成する（ステップＳ１１８）。その後、無線ＡＰ２２ａが備えるパケット生成部２１６１は、生成したブロードキャスト終了応答パケットを、無線ＡＰ２２ａがカバーするカバーエリア２９ａ内に位置する移動端末３０に対して送信する（ステップＳ１１８）。
【０１３９】
ブロードキャスト終了応答パケットは、図１１（ｆ）に示すように、パケットＩＤフィールドと、パケット種類フィールドと、パケットの応答元（送信元）となる無線ＡＰ２１を示す応答元ＡＰ＿ＩＤフィールドと、パケットの応答先（送信先）となる無線ＡＰ２１を示す応答先ＡＰ＿ＩＤフィールドと、応答するブロードキャスト終了通知パケットを一意に特定するための識別子を示すペイロードフィールドとを備えている。図１１（ｆ）に示す例では、パケットＩＤフィールドに「５」が格納されている。図１１（ｆ）に示す例では、パケット種類フィールドに、当該パケットの種類がブロードキャスト終了応答パケットであることを示す識別番号「＃１１」が格納されている。図１１（ｆ）に示す例では、応答元ＡＰ＿ＩＤフィールドに、ブロードキャスト終了応答パケットの応答元となる無線ＡＰ２２ａのＡＰ＿ＩＤが格納されている。図１１（ｆ）に示す例では、応答先ＡＰ＿ＩＤフィールドに、ブロードキャスト終了応答パケットの応答先となる無線ＡＰ２２ｂのＡＰ＿ＩＤが格納されている。図１１（ｆ）に示す例では、ペイロードフィールドには、応答するブロードキャスト終了通知パケットを一意に特定することができる識別子（例えば、受信したブロードキャスト終了通知パケットに含まれるパケットＩＤ等）が格納されている。
【０１４０】
再び図１０において、その後、移動端末３０は、無線ＡＰ２２ａから送信されるブロードキャスト終了応答パケットを、無線ＡＰ２２ｂに対して転送する（ステップＳ２１８）。この転送の態様は、上述したステップＳ２０１からステップＳ２０９及びステップＳ２１１からステップＳ２１７における転送の態様と同様であってもよい。
【０１４１】
その後、無線ＡＰ２２ｂが備える信号処理部２１６５は、移動端末３０から送信される（言い換えれば、転送される）ブロードキャスト終了応答パケットを受信する（ステップＳ３１８）。無線ＡＰ２２ｂが備える信号処理部２１６５は、受信したブロードキャスト終了応答パケットの応答先ＡＰ＿ＩＤフィールドに格納されているＡＰ＿ＩＤが無線ＡＰ２２ｂのＡＰ＿ＩＤと一致しない場合には、受信したブロードキャスト終了応答パケットを破棄してもよい。他方で、無線ＡＰ２２ｂが備える信号処理部２１６５は、受信したブロードキャスト終了応答パケットの応答先ＡＰ＿ＩＤフィールドに格納されているＡＰ＿ＩＤが無線ＡＰ２２ｂのＡＰ＿ＩＤと一致する場合には、ブロードキャストの終了が完了したと認識する。
【０１４２】
以上説明したように、第２実施形態の無線通信システム２によれば、第１実施形態の無線通信システム１が享受する効果と同様の効果を好適に享受することができる。
【０１４３】
（２−３）変形動作例
図１２及び図１３を参照して、第２実施形態の無線通信システム２の変形動作について説明する。図１２は、第２実施形態の無線通信システム２の変形動作の流れの一例を示すシーケンス図である。図１３は、第２実施形態の無線通信システム２の変形動作で用いられる各種情報（各種パケット）を示すデータ構造図である。
【０１４４】
図１２に示すように、変形動作例では、図１０に示す動作の途中で、無線ＡＰ２２ａがブロードキャスト内容の修正（例えば、ブロードキャストを希望する元情報の種別又は内容の修正や、ブロードキャスト期間の修正）を希望する場合に、当該ブロードキャスト内容の修正処理が行われる。
【０１４５】
図１２に示すように、無線ＡＰ２２ａは、他の無線ＡＰ２２ｂに対して、ブロードキャスト内容の修正を要求する処理を行う（ステップＳ１２１からステップＳ１２２、ステップＳ２２１からステップＳ２２２及びステップＳ３２１からステップＳ３２２）。
【０１４６】
具体的には、無線ＡＰ２２ａが備えるパケット生成部２１６１は、他の無線ＡＰ２２ｂに対してブロードキャストの内容の修正を要求するためのブロードキャスト内容修正要求パケットを生成する（ステップＳ１２１）。無線ＡＰ２２ａが備えるパケット生成部２１６１は、生成したブロードキャスト内容修正要求パケットを、無線ＡＰ２２ａがカバーするカバーエリア２９ａ内に位置する移動端末３０に対して送信する（ステップＳ１２１）。
【０１４７】
ブロードキャスト内容修正要求パケットは、図１３（ａ）に示すように、パケットＩＤフィールドと、パケット種類フィールドと、パケットの要求元（送信元）となる無線ＡＰ２２を示す要求元ＡＰ＿ＩＤフィールドと、パケットの要求先（送信先）となる無線ＡＰ２２を示す要求先ＡＰ＿ＩＤフィールドと、ペイロードフィールドとを備えている。図１３（ａ）に示す例では、パケットＩＤフィールドに「０」が格納されている。図１３（ａ）に示す例では、パケット種類フィールドに、当該パケットの種類がブロードキャスト内容修正要求パケットであることを示す識別番号「＃１２」が格納されている。図１３（ａ）に示す例では、要求元ＡＰ＿ＩＤフィールドに、ブロードキャスト内容修正要求パケットの要求元となる無線ＡＰ２２ａのＡＰ＿ＩＤが格納されている。図１３（ａ）に示す例では、要求先ＡＰ＿ＩＤフィールドに、ブロードキャスト内容修正要求パケットの要求先となる無線ＡＰ２２ｂのＡＰ＿ＩＤが格納されている。ペイロードフィールドには、任意の情報が格納されていてもよいし、情報が格納されていなくともよい。
【０１４８】
再び図１２において、その後、移動端末３０は、無線ＡＰ２２ａから送信されるブロードキャスト内容修正要求パケットを、他の無線ＡＰ２２ｂに対して転送する（ステップＳ２２１）。この転送の態様は、上述したステップＳ２０１及びステップＳ２０９及びステップＳ２１１からステップＳ２１８における転送の態様と同様であってもよい。
【０１４９】
その後、無線ＡＰ２２ｂが備える信号処理部２１６５は、移動端末３０から送信される（言い換えれば、転送される）ブロードキャスト内容修正要求パケットを受信する（ステップＳ３２１）。無線ＡＰ２２ｂが備える信号処理部２１６５は、受信したブロードキャスト内容修正要求パケットの要求先ＡＰ＿ＩＤフィールドに格納されているＡＰ＿ＩＤが無線ＡＰ２２ｂのＡＰ＿ＩＤと一致しない場合には、受信したブロードキャスト内容修正要求パケットを破棄してもよい。他方で、無線ＡＰ２２ｂが備える信号処理部２１６５は、受信したブロードキャスト内容修正要求パケットの要求先ＡＰ＿ＩＤフィールドに格納されているＡＰ＿ＩＤが無線ＡＰ２２ｂのＡＰ＿ＩＤと一致する場合には、応答メッセージとしてのブロードキャスト内容修正応答パケットを生成するように、無線ＡＰ２２ｂが備えるパケット生成部２１６１を制御する。その結果、無線ＡＰ２２ｂが備えるパケット生成部２１６１は、ブロードキャスト内容修正応答パケットを生成する（ステップＳ３２２）。その後、無線ＡＰ２２ｂが備えるパケット生成部２１６１は、生成したブロードキャスト内容修正応答パケットを、無線ＡＰ２２ｂがカバーするカバーエリア２９ｂ内に位置する移動端末３０に対して送信する（ステップＳ３２２）。
【０１５０】
ブロードキャスト内容修正応答パケットは、図１３（ｂ）に示すように、パケットＩＤフィールドと、パケット種類フィールドと、パケットの応答元（送信元）となる無線ＡＰ２２を示す応答元ＡＰ＿ＩＤフィールドと、パケットの応答先（送信先）となる無線ＡＰ２２を示す応答先ＡＰ＿ＩＤフィールドと、応答するブロードキャスト内容修正要求パケットを一意に特定するための識別子を示すペイロードフィールドとを備えている。図１３（ｂ）に示す例では、パケットＩＤフィールドに「１」が格納されている。図１３（ｂ）に示す例では、パケット種類フィールドに、当該パケットの種類がブロードキャスト内容修正応答パケットであることを示す識別番号「＃１３」が格納されている。図１３（ｂ）に示す例では、応答元ＡＰ＿ＩＤフィールドに、ブロードキャスト内容修正応答パケットの応答元となる無線ＡＰ２２ｂのＡＰ＿ＩＤが格納されている。図１３（ｂ）に示す例では、応答先ＡＰ＿ＩＤフィールドに、ブロードキャスト内容修正応答パケットの応答先となる無線ＡＰ２２ａのＡＰ＿ＩＤが格納されている。図１１（ｂ）に示す例では、ペイロードフィールドには、応答するブロードキャスト内容修正要求パケットを一意に特定することができる識別子（例えば、受信したブロードキャスト内容修正要求パケットに含まれるパケットＩＤ等）が格納されている。
【０１５１】
再び図１２において、その後、移動端末３０は、無線ＡＰ２２ｂから送信されるブロードキャスト内容修正応答パケットを、無線ＡＰ２２ａに対して転送する（ステップＳ２２２）。この転送の態様は、上述したステップＳ２０１からステップＳ２０９、ステップＳ２１１からステップＳ２１８及びステップＳ２２１における転送の態様と同様であってもよい。
【０１５２】
その後、無線ＡＰ２２ａが備える信号処理部２１６５は、移動端末３０から送信される（言い換えれば、転送される）ブロードキャスト内容修正応答パケットを受信する（ステップＳ１２２）。無線ＡＰ２２ａが備える信号処理部２１６５は、受信したブロードキャスト内容修正応答パケットの応答先ＡＰ＿ＩＤフィールドに格納されているＡＰ＿ＩＤが無線ＡＰ２２ａのＡＰ＿ＩＤと一致しない場合には、受信したブロードキャスト内容修正応答パケットを破棄してもよい。この場合、無線ＡＰ２２ａが備えるパケット生成部２１６１は、所定時間経過後に再度ブロードキャスト内容修正要求パケットを送信することが好ましい。他方で、無線ＡＰ２２ａが備える信号処理部２１６５は、受信したブロードキャスト内容修正応答パケットの応答先ＡＰ＿ＩＤフィールドに格納されているＡＰ＿ＩＤが無線ＡＰ２２ａのＡＰ＿ＩＤと一致する場合には、受信したブロードキャスト内容修正応答パケットのペイロードフィールドを参照することで、受信したブロードキャスト内容修正応答パケットがステップＳ１２１で送信したブロードキャスト内容修正要求パケットに対する応答メッセージであるか否かを判定する。無線ＡＰ２２ａが備えるパケット生成部２１６１は、受信したブロードキャスト内容修正応答パケットがステップＳ１２１で送信したブロードキャスト内容修正要求パケットに対する応答メッセージでない場合は、所定時間経過後に再度ブロードキャスト内容修正要求パケットを送信することが好ましい。また、無線ＡＰ２２ａが備えるパケット生成部２１６１は、ブロードキャスト内容修正応答パケットそのものを受信していない場合にも、所定時間経過後に再度ブロードキャスト内容修正要求パケットを送信することが好ましい。
【０１５３】
受信したブロードキャスト内容修正応答パケットがステップＳ１２１で送信したブロードキャスト内容修正要求パケットに対する応答メッセージである場合には、無線ＡＰ２２ａは、修正した元情報のブロードキャストを、他の無線ＡＰ２２ｂに対して行わせる処理を行う（ステップＳ１２３、ステップＳ２２３からステップＳ２２５及びステップＳ３１３からステップＳ３２５）。
【０１５４】
具体的には、無線ＡＰ２２ａが備えるパケット生成部２１６１は、ブロードキャスト内容の修正事項（或いは、修正後のブロードキャスト内容）を他の無線ＡＰ２２ｂに通知するためのブロードキャスト内容修正パケットを生成する（ステップＳ１２３）。その後、無線ＡＰ２２ｂが備えるパケット生成部２１６１は、生成したブロードキャスト内容修正パケットを、無線ＡＰ２２ａがカバーするカバーエリア２９ａ内に位置する移動端末３０に対して送信する（ステップＳ１２３）。
【０１５５】
ブロードキャスト内容修正パケットは、図１３（ｃ）に示すように、パケットＩＤフィールドと、パケット種類フィールドと、パケットの通知元（送信元）となる無線ＡＰ２２を示す通知元ＡＰ＿ＩＤフィールドと、パケットの通知先（送信先）となる無線ＡＰ２２を示す通知先ＡＰ＿ＩＤフィールドと、修正後のブロードキャスト内容を含むペイロードフィールドとを備えている。図１３（ｃ）に示す例では、パケットＩＤフィールドに「２」が格納されている。図１３（ｃ）に示す例では、パケット種類フィールドに、当該パケットの種類がブロードキャスト内容修正パケットであることを示す識別番号「＃１４」が格納されている。図１３（ｃ）に示す例では、通知元ＡＰ＿ＩＤフィールドに、ブロードキャスト内容修正パケットの通知元となる無線ＡＰ２２ａのＡＰ＿ＩＤが格納されている。図１３（ｃ）に示す例では、通知先ＡＰ＿ＩＤフィールドに、ブロードキャスト内容修正パケットの通知先となる無線ＡＰ２２ｂのＡＰ＿ＩＤが格納されている。図１３（ｃ）に示す例では、ペイロードフィールドには、修正後の元情報（例えば、修正後の特売情報や修正後の混雑情報）や修正後の「ブロードキャスト期間」が格納されていてもよい。
【０１５６】
再び図１２において、その後、移動端末３０は、無線ＡＰ２２ａから送信されるブロードキャスト内容修正パケットを、無線ＡＰ２２ｂに対して転送する（ステップＳ２２３）。この転送の態様は、上述したステップＳ２０１からステップＳ２０９、ステップＳ２１１からステップＳ２１８及びステップＳ２２１からステップＳ２２２における転送の態様と同様であってもよい。
【０１５７】
その後、無線ＡＰ２２ｂが備える信号処理部２１６５は、移動端末３０から送信される（言い換えれば、転送される）ブロードキャスト内容修正パケットを受信する（ステップＳ３２３）。無線ＡＰ２２ｂが備える信号処理部２１６５は、受信したブロードキャスト内容修正パケットの通知先ＡＰ＿ＩＤフィールドに格納されているＡＰ＿ＩＤが無線ＡＰ２２ｂのＡＰ＿ＩＤと一致しない場合には、受信したブロードキャスト内容修正パケットを破棄してもよい。他方で、無線ＡＰ２２ｂが備える信号処理部２１６５は、受信したブロードキャスト内容修正パケットの通知先ＡＰ＿ＩＤフィールドに格納されているＡＰ＿ＩＤが無線ＡＰ２２ｂのＡＰ＿ＩＤと一致する場合には、受信したブロードキャスト内容修正パケットのペイロードフィールドを参照することで、修正後の元情報等を取得する。その後、無線ＡＰ２２ｂは、修正後の元情報等に応じたブロードキャストを行う。（ステップＳ３１５）。
【０１５８】
変形動作例によれば、ブロードキャスト内容の修正を好適に行いつつ、上述した第２実施形態の無線通信システム２が享受する効果と同様の効果を好適に享受することができる。
【０１５９】
（３）第３実施形態
図１４から図１７を参照して、第３実施形態の無線通信システム３について説明する。尚、第３実施形態の無線通信システム３では、第１実施形態の無線通信システム１及び第２実施形態の無線通信システム２と比較して、無線ＡＰ２０の構成及び動作が異なっている。無線ＡＰ２０の構成及び動作以外については、第３実施形態の無線通信システム１は、第１実施形態の無線通信システム１又は第２実施形態の無線通信システム２と同一であってもよいし異なっていてもよい。以下では、説明の簡略化のために、第１実施形態の無線通信システム１又は第２実施形態の無線通信システム２とは異なる第３実施形態の無線ＡＰ２０の構成及び動作に着目して説明を進める。
【０１６０】
尚、以下では、第３実施形態の無線ＡＰ２０を、第１及び第２実施形態の無線ＡＰ２０と区別するために、“無線ＡＰ２３”と表記する。
【０１６１】
（３−１）無線ＡＰの構成
図１４を参照して、第３実施形態の無線ＡＰ２３の構成について説明する。図１４は、第３実施形態の無線ＡＰ２３の機能ブロックを示すブロック図である。
【０１６２】
図１４に示すように、第３実施形態の無線ＡＰ２３は、第１実施形態の無線ＡＰ２１又は第２実施形態の無線ＡＰ２２と同様に、アンテナ２１１と、ＲＦ（Radio Frequency）部２１２と、変復調部２１３と、符号化部２１４と、復号部２１５と、制御部２２６とを備える。第３実施形態の制御部２３６は、第１実施形態の制御部２１６又は第２実施形態の制御部２２６と同様に、パケット生成部２１６１と、メモリ部２１６３と、信号処理部２１６５とを備える。
【０１６３】
第３実施形態の無線ＡＰ２３は、ブロードキャスト情報生成部２１６２及びセンサ２１６４を備えておらず且つネットワークＩＦ（Interface：インタフェース）部２３６６及び表示装置２３６７を備えているという点で第１実施形態の無線ＡＰ２１又は第２実施形態の無線ＡＰ２２とは異なる。
【０１６４】
ネットワークＩＦ部２３６６は、有線又は無線のネットワークを終端するインタフェース装置である。ネットワークＩＦ部２３６６は、外部の装置から、有線又は無線のネットワークを介して所定の情報（例えば、後述する広告情報）を取得する。
【０１６５】
表示装置２３６７は、任意の情報（例えば、後述する広告情報）を表示する。
【０１６６】
（３−２）無線通信システムの動作
図１５及び図１６を参照して、第３実施形態の無線通信システム３の動作について説明する。図１５は、第３実施形態の無線通信システム３の動作の流れの一例を示すシーケンス図である。図１６は、第３実施形態の無線通信システム３の動作で用いられる各種情報（各種パケット）を示すデータ構造図である。
【０１６７】
第３実施形態の無線通信システム３では、ある無線ＡＰ２３がネットワークＩＦ部２３６６を介して広告情報を取得し且つ他の無線ＡＰ２３に対して取得した広告情報を送信すると共に、他の無線ＡＰ２３が実際に広告表示を行う態様が、利用態様の一例として想定される。以下では、このような利用態様を一例として用いながら説明を進める。
【０１６８】
尚、この利用態様では、広告表示を実際にする側の無線ＡＰ２３は、ネットワークＩＦ部２３６６を備えていなくともよい。一方で、広告表示を実際にする側でない（言い換えれば、広告情報を送信することで広告表示を行うよう要求する側の）無線ＡＰ２３は、表示装置２３６７を備えていなくともよい。
【０１６９】
図１５に示すように、第３実施形態においても、第１実施形態又は第２実施形態と同様に、無線ＡＰ２３ａは、無線ＡＰ２３ａの存在を、他の無線ＡＰ２３ｂに認識させるための処理及び他の無線ＡＰ２３ｂ及び無線ＡＰ２３ｃを認識するための処理を行う。
【０１７０】
その後、無線ＡＰ２３ａは、広告情報の取得を行う（ステップＳ１３０）。具体的には、無線ＡＰ２３ａが備えるネットワークＩＦ部２３６６は、ネットワークＩＦ部２３６６に接続されているネットワークを介して、外部の機器又はサーバから広告情報を取得する。無線ＡＰ２３ａが備えるネットワークＩＦ部２３６６は、取得した広告情報を、メモリ部２１６３に一時的に格納する。
【０１７１】
その後、無線ＡＰ２３ａは、他の無線ＡＰ２３ｂに対して、ステップＳ１３０で取得した広告情報の広告表示を行うように要求する処理を行う（ステップＳ１３１からステップＳ１３４、ステップＳ２３１からステップＳ２３４及びステップＳ３３１からステップＳ３３４）。
【０１７２】
具体的には、無線ＡＰ２３ａが備えるパケット生成部２１６１は、広告表示を行うように他の無線ＡＰ２３ｂに要求するための広告表示要求パケットを生成する（ステップＳ１３１）。その後、無線ＡＰ２３ａが備えるパケット生成部２１６１は、生成した広告表示要求パケットを、無線ＡＰ２３ａがカバーするカバーエリア２９ａ内に位置する移動端末３０に対して送信する（ステップＳ１３１）。
【０１７３】
広告表示要求パケットは、図１６（ａ）に示すように、パケットＩＤフィールドと、パケット種類フィールドと、パケットの要求元（送信元）となる無線ＡＰ２３を示す要求元ＡＰ＿ＩＤフィールドと、パケットの要求先（送信先）となる無線ＡＰ２３を示す要求先ＡＰ＿ＩＤフィールドと、広告表示を希望する広告情報を含むペイロードフィールドとを備えている。図１６（ａ）に示す例では、パケットＩＤフィールドに「０」が格納されている。図１６（ａ）に示す例では、パケット種類フィールドに、当該パケットの種類が広告表示要求パケットであることを示す識別番号「＃１５」が格納されている。図１６（ａ）に示す例では、要求元ＡＰ＿ＩＤフィールドに、広告表示要求パケットの要求元となる無線ＡＰ２３ａのＡＰ＿ＩＤが格納されている。図１６（ａ）に示す例では、要求先ＡＰ＿ＩＤフィールドに、広告表示要求パケットの要求先となる無線ＡＰ２３ｂのＡＰ＿ＩＤが格納されている。図１６（ａ）に示す例では、ペイロードフィールドには、広告表示を希望する広告情報（つまり、ステップＳ１３０で取得され且つメモリ部２１６３に一時的に格納されている広告情報）が格納されている。
【０１７４】
加えて、ペイロードフィールドには、広告表示を行う期間を指定する「広告表示期間」が格納されていてもよい。
【０１７５】
尚、ペイロードフィールドに格納される広告情報には、秘匿性を確保するための暗号化処理が施されていてもよい。この場合、無線ＡＰ２３ａが備えるパケット生成部２１６１は、広告情報に対して暗号化処理を施しながら広告表示要求パケットを生成することが好ましい。
【０１７６】
再び図１５において、その後、移動端末３０は、無線ＡＰ２３ａから送信される広告表示要求パケットを、無線ＡＰ２３ｂに対して転送する（ステップＳ２３１）。この転送の態様は、上述したステップＳ２０１からステップＳ２０９、ステップＳ２１１からステップＳ２１８及びステップＳ２２１からステップＳ２２４における転送の態様と同様であってもよい。
【０１７７】
その後、無線ＡＰ２３ｂが備える信号処理部２１６５は、移動端末３０から送信される（言い換えれば、転送される）広告表示要求パケットを受信する（ステップＳ３３１）。無線ＡＰ２３ｂが備える信号処理部２１６５は、受信した広告表示要求パケットの要求先ＡＰ＿ＩＤフィールドに格納されているＡＰ＿ＩＤが無線ＡＰ２３ｂのＡＰ＿ＩＤと一致しない場合には、受信した広告表示要求パケットを破棄してもよい。他方で、無線ＡＰ２３ｂが備える信号処理部２１６５は、受信した広告表示要求パケットの通知先ＡＰ＿ＩＤフィールドに格納されているＡＰ＿ＩＤが無線ＡＰ２３ｂのＡＰ＿ＩＤと一致する場合には、受信した広告表示要求パケットのペイロードフィールドを参照することで、広告情報を取得する。その後、無線ＡＰ２３ｂが備える信号処理部２１６５は、取得した広告情報を、広告表示用のフォーマットを有する広告表示情報に変換する（ステップＳ３３２）。その後、無線ＡＰ２３ｂが備える信号処理部２１６５は、変換によって生成された広告表示情報をメモリ部２１６３に格納する（ステップＳ１０７）。
【０１７８】
尚、受信した広告表示要求パケットのペイロードフィールドに格納される広告情報に暗号化処理が施されている場合には、無線ＡＰ２３ｂが備える信号処理部２１６５は、復号化処理を施すことで広告情報を取得することが好ましい。
【０１７９】
その後、無線ＡＰ２３ｂが備える表示装置２３６７は、メモリ部２１６３に格納されている広告表示情報を読み出すと共に、読み出した広告表示情報に基づく広告表示を行う（ステップＳ３３３）。
【０１８０】
尚、受信した広告表示要求パケットのペイロードフィールドに「広告表示期間」が格納されている場合には、無線ＡＰ２３ｂが備える表示装置２３６７は、当該広告表示期間によって指定されている間は継続して又は断続的に若しくは非断続的に広告表示を行うことが好ましい。
【０１８１】
加えて、無線ＡＰ２３ｂが備える信号処理部２１６５は、受信した広告表示要求パケットに応じた広告表示を行う都度、当該広告表示を行った旨を無線ＡＰ２３ａに通知する処理を行う（ステップＳ１３４、ステップＳ２３４及びステップＳ３３４）。
【０１８２】
具体的には、無線ＡＰ２３ｂが備えるパケット生成部２１６１は、受信した広告表示要求パケットに応じた広告表示を行う都度、当該広告表示を行った旨を通知するための広告表示応答パケットを生成する（ステップＳ３３４）。その後、無線ＡＰ２３ｂが備えるパケット生成部２１６１は、生成した広告表示応答パケットを、無線ＡＰ２２ｂがカバーするカバーエリア２９ｂ内に位置する移動端末３０に対して送信する（ステップＳ３３４）。
【０１８３】
広告表示応答パケットは、図１６（ｂ）に示すように、パケットＩＤフィールドと、パケット種類フィールドと、パケットの応答元（送信元）となる無線ＡＰ２３を示す応答元ＡＰ＿ＩＤフィールドと、パケットの応答先（送信先）となる無線ＡＰ２３を示す応答先ＡＰ＿ＩＤフィールドと、応答する広告表示要求パケットを一意に特定するための識別子を示すペイロードフィールドとを備えている。図１６（ｂ）に示す例では、パケットＩＤフィールドに「１」が格納されている。図１６（ｂ）に示す例では、パケット種類フィールドに、当該パケットの種類が広告表示応答パケットであることを示す識別番号「＃１６」が格納されている。図１６（ｂ）に示す例では、応答元ＡＰ＿ＩＤフィールドに、広告表示応答パケットの応答元となる無線ＡＰ２３ｂのＡＰ＿ＩＤが格納されている。図１６（ｂ）に示す例では、応答先ＡＰ＿ＩＤフィールドに、広告表示応答パケットの応答先となる無線ＡＰ２３ａのＡＰ＿ＩＤが格納されている。図１６（ｂ）に示す例では、ペイロードフィールドには、応答する広告表示要求パケットを一意に特定することができる識別子（例えば、受信した広告表示要求パケットに含まれるパケットＩＤ等）が格納されている。
【０１８４】
加えて、広告表示応答パケットのペイロードフィールドには、広告表示要求パケットによって通知された広告情報が正しく又は誤りなく受信されたか否かを示す情報が格納されていてもよい。例えば、無線ＡＰ２３ｂが広告表示要求パケットによって通知された広告情報を正しく又は誤りなく受信した場合には、その旨を示すＡＣＫ（Acknowledge）フラグが広告表示応答パケットのペイロードフィールドに格納されてもよい。例えば、無線ＡＰ２３ｂが広告表示要求パケットによって通知された広告情報を正しく又は誤りなく受信できなかった場合には、その旨を示すＮＡＣＫ（Negative Acknowledge）フラグが広告表示応答パケットのペイロードフィールドに格納されてもよい。
【０１８５】
再び図１５において、その後、移動端末３０は、無線ＡＰ２３ｂから送信される広告表示応答パケットを、無線ＡＰ２３ａに対して転送する（ステップＳ２３４）。この転送の態様は、上述したステップＳ２０１からステップＳ２０９及びステップＳ２１１からステップＳ２１８、ステップＳ２２１からステップＳ２２４及びステップＳ２３１における転送の態様と同様であってもよい。
【０１８６】
その後、無線ＡＰ２３ａが備える信号処理部２１６５は、移動端末３０から送信される（言い換えれば、転送される）広告表示応答パケットを受信する（ステップＳ１３４）。無線ＡＰ２３ａが備える信号処理部２１６５は、受信した広告表示応答パケットの応答先ＡＰ＿ＩＤフィールドに格納されているＡＰ＿ＩＤが無線ＡＰ２３ａのＡＰ＿ＩＤと一致しない場合には、受信した広告表示応答パケットを破棄してもよい。この場合、無線ＡＰ２３ａが備えるパケット生成部２１６１は、所定時間経過後に再度広告表示要求パケットを送信することが好ましい。他方で、無線ＡＰ２３ａが備える信号処理部２１６５は、受信した広告表示応答パケットの応答先ＡＰ＿ＩＤフィールドに格納されているＡＰ＿ＩＤが無線ＡＰ２３ａのＡＰ＿ＩＤと一致する場合には、受信した広告表示応答パケットのペイロードフィールドを参照することで、受信した広告表示応答パケットがステップＳ１３１で送信した広告表示要求パケットに対する応答メッセージであるか否かを判定する。無線ＡＰ２３ａが備えるパケット生成部２１６１は、受信した広告表示応答パケットがステップＳ１３１で送信した広告表示要求パケットに対する応答メッセージでない場合は、所定時間経過後に再度広告表示要求パケットを送信することが好ましい。加えて、無線ＡＰ２３ａが備える信号処理部２１６５は、受信した広告表示応答パケットの応答先ＡＰ＿ＩＤフィールドに格納されているＡＰ＿ＩＤが無線ＡＰ２３ａのＡＰ＿ＩＤと一致する場合には、受信した広告表示応答パケットのペイロードフィールドを参照することで、ステップＳ１３１で送信した広告表示要求パケットによって通知した広告情報が無線ＡＰ２３ｂによって正しく受信されたか否かを判定する。無線ＡＰ２３ａが備えるパケット生成部２１６１は、ステップＳ１３１で送信した広告表示要求パケットによって通知した広告情報が無線ＡＰ２３ｂによって正しく受信されていない場合は、再度広告表示要求パケットを送信することが好ましい。また、無線ＡＰ２３ａが備えるパケット生成部２１６１は、広告表示応答パケットそのものを受信していない場合にも、所定時間経過後に再度広告表示要求パケットを送信することが好ましい。
【０１８７】
受信したブロードキャスト内容応答パケットがステップＳ１１３で送信したブロードキャスト内容通知パケットに対する応答メッセージであり且つステップＳ１３１で送信した広告表示要求パケットによって通知した広告情報が無線ＡＰ２３ｂによって正しく受信されている場合には、無線ＡＰ２３ａは、ステップＳ１３１で送信した広告表示要求パケットに応じた広告表示が完了したと認識する。
【０１８８】
以上説明したように、第３実施形態の無線通信システム３によれば、ブロードキャスト以外の情報提供（つまり、第３実施形態の例で言えば、広告情報の広告表示）を行う場合であっても、第１実施形態の無線通信システム１又は第２実施形態の無線通信システム２が享受する効果と同様の効果を好適に享受することができる。
【０１８９】
（２−３）変形動作例
図１７を参照して、第３実施形態の無線通信システム３の変形動作について説明する。図１７は、第３実施形態の無線通信システム３の変形動作の流れの一例を示すシーケンス図である。
【０１９０】
図１７に示すように、変形動作例では、無線ＡＰ２３ａから無線ＡＰ２３ｂに対する広告表示要求パケットの送信が、複数回に分割されて行われる。加えて、無線ＡＰ２３ｂから無線ＡＰ２３ａに対する広告表示応答パケットの送信もまた、広告表示要求パケットの分割送信に合わせて、複数回に分割されて行われる。このような広告表示要求パケットの分割送信は、広告情報のサイズが相対的に大きい場合に行われることが好ましい。
【０１９１】
このような変形動作例によれば、広告情報のサイズが相対的に大きい場合にも、上述した第３実施形態の無線通信システム３が享受する効果と同様の効果を好適に享受することができる。
【０１９２】
尚、上述の第１実施形態から第３実施形態で説明した利用態様以外の各種態様に対しても、上述した無線ＡＰ２０（つまり、移動端末３０を介して相互に情報を送受信する無線ＡＰ２０であって、取得した情報にデータ処理を施した上で所定の情報提供を行う無線ＡＰ）を適用してもよい。
【０１９３】
例えば、田畑に気温センサ、水量センサ及び水温センサ等を設置する場合には、これらのセンサの夫々に対応付けて無線ＡＰ２０を設置すると共に、これらの無線ＡＰ２０から測定結果情報（つまり、気温や水量や水温等）を収集する無線ＡＰ２０を別途設置してもよい。このような構成により、田畑の状態を集約的に管理することができる。
【０１９４】
例えば、各家庭の電気メータ、ガスメータ及び水道メータの夫々に対応付けて無線ＡＰ２０を設置すると共に、これらの無線ＡＰ２０から測定結果情報（つまり、使用電気量や使用ガス量や使用水道量等）を収集する無線ＡＰ２０を別途設置してもよい。このような構成により、各家庭の水道光熱に関する使用状態を集約的に管理することができる。
【０１９５】
以上説明した実施形態に関して、更に以下の付記を開示する。
【０１９６】
（付記１）
一以上の移動端末と、
夫々が前記移動端末と無線通信を行う第１無線アクセス局及び第２無線アクセス局と
を備えており、
前記第１無線アクセス局は、
前記第１無線アクセス局の有する情報を要求する情報取得要求であって前記第２無線アクセス局から送信される情報取得要求を、前記移動端末のいずれかである第１移動端末を介して受信する第１受信部と、
前記情報取得要求に基づき、前記第２無線アクセス局に対して、前記移動端末のいずれかである第２移動端末を介して前記情報を送信する第１送信部と、
を備え、
前記第２無線アクセス局は、
前記第１移動端末に、前記第１無線アクセス局に対する前記情報取得要求を送信する第２送信部と、
前記第２移動端末を介して、前記第１無線アクセス局から送信される前記情報を受信する第２受信部と、
前記第２受信部が受信した前記情報に対して所定のデータ処理を施す信号処理部と、
前記データ処理が施された前記情報の提供を行う情報提供部と
を備えることを特徴とする無線通信システム。
【０１９７】
（付記２）
前記第１無線アクセス局は、自身がカバーする第１カバーエリア内に位置する前記移動端末と無線通信を行い、
前記第２無線アクセス局は、自身がカバーする第２カバーエリア内に位置する前記移動端末と無線通信を行い、
前記第１送信部は、前記第１カバーエリア内に位置する前記第２移動端末に対して前記情報を送信することで、前記第２移動端末を介して、前記第２無線アクセス局に対して前記情報を送信し、
前記第２受信部は、前記第２カバーエリア内に位置する前記第２移動端末であって且つ前記第１無線アクセス局から前記情報の送信を受けた前記第２移動端末から前記情報を受信することで、前記第２移動端末を介して、前記第１無線アクセス局から送信される情報を受信することを特徴とする付記１に記載の無線通信システム。
【０１９８】
（付記３）
一以上の移動端末と、
夫々が前記移動端末と無線通信を行う第１無線アクセス局及び第２無線アクセス局と
を備えており、
前記第１無線アクセス局は、
前記第２無線アクセス局に対して、前記第１無線アクセス局の有する情報を前記第２無線アクセス局が情報提供することを要求する情報提供要求を、前記移動端末のいずれかである第１移動端末を介して送信する第１送信部と、
前記情報提供要求に基づき、前記第２無線アクセス局に対して、前記移動端末のいずれかである第２移動端末を介して前記情報を送信する第２送信部と、
を備え、
前記第２無線アクセス局は、
前記第１移動端末を介して、前記第１無線アクセス局から送信される前記情報提供要求を受信する第１受信部と、
前記情報提供要求に基づき、前記第２移動端末を介して、前記第１無線アクセス局から送信される前記情報を受信する第２受信部と、
前記第２受信部が受信した前記情報に対して所定のデータ処理を施す信号処理部と、
前記データ処理が施された前記情報の提供を行う情報提供部と
を備えることを特徴とする無線通信システム。
【０１９９】
（付記４）
前記第１無線アクセス局は、自身がカバーする第１カバーエリア内に位置する前記移動端末と無線通信を行い、
前記第２無線アクセス局は、自身がカバーする第２カバーエリア内に位置する前記移動端末と無線通信を行い、
前記第２送信部は、前記第１カバーエリア内に位置する前記第２移動端末に対して前記情報を送信することで、前記第２移動端末を介して、前記第２無線アクセス局に対して前記情報を送信し、
前記第２受信部は、前記第２カバーエリア内に位置する前記第２移動端末であって且つ前記第１無線アクセス局から前記情報の送信を受けた前記第２移動端末から前記情報を受信することで、前記第２移動端末を介して、前記第１無線アクセス局から送信される情報を受信することを特徴とする付記３に記載の無線通信システム。
【０２００】
（付記５）
前記情報提供部は、前記データ処理が施された前記情報を前記第２カバーエリア内にブロードキャストすることを特徴とする付記２又は４に記載の無線通信システム。
【０２０１】
（付記６）
複数の前記第１無線アクセス局を備え、
前記第２受信部は、前記複数の第１無線アクセス局の夫々から送信される前記情報を受信し、
前記情報提供部は、前記複数の第１無線アクセス局の夫々から受信した前記情報をまとめて提供することを特徴とする付記１から５のいずれか一項に記載の無線通信システム。
【０２０２】
（付記７）
前記第２無線アクセス局は、前記移動端末から送信される情報に基づいて、前記第２無線アクセス局と前記移動端末を介して情報を送受信可能な、前記第１無線アクセス局を含む周辺の他の無線アクセス局を認識する認識部を更に備えることを特徴とする付記１から６のいずれか一項に記載の無線通信システム。
【０２０３】
（付記８）
前記第１無線アクセス局は、前記移動端末から送信される情報に基づいて、前記第１無線アクセス局と前記移動端末を介して情報を送受信可能な、前記第２無線アクセス局を含む周辺の他の無線アクセス局を認識する認識部を更に備えることを特徴とする付記１から７のいずれか一項に記載の無線通信システム。
【０２０４】
（付記９）
前記第１送信部は、当該第１無線アクセス局が備えるセンサ、前記移動端末及び他の無線アクセス局の少なくとも一つから収集した前記情報を送信することを特徴とする付記１に記載の無線通信システム。
【０２０５】
（付記１０）
前記第２送信部は、当該第１無線アクセス局が備えるセンサ、前記移動端末及び他の無線アクセス局の少なくとも一つから収集した前記情報を送信することを特徴とする付記３に記載の無線通信システム。
【０２０６】
（付記１１）
前記情報提供部は、前記データ処理が施された情報を他の情報機器に出力することを特徴とする付記１から１０のいずれか一項に記載の無線通信システム。
【０２０７】
（付記１２）
前記所定のデータ処理は、前記第２受信部が受信した前記情報を提供用のデータ形式に加工する処理を含むことを特徴とする付記１から１１のいずれか一項に記載の無線通信システム。
【０２０８】
（付記１３）
前記移動端末は、
前記第１無線アクセス局から送信される前記情報を受信する端末側受信部と、
前記端末側受信部が前記受信した情報を前記第２無線アクセス局に送信する端末側送信部と
を備えることを特徴とする付記１から１２のいずれか一項に記載の無線通信システム。
【０２０９】
（付記１４）
前記第１無線アクセス局は、自身がカバーする第１カバーエリア内に位置する前記移動端末と無線通信を行い、
前記第２無線アクセス局は、自身がカバーする第２カバーエリア内に位置する前記移動端末と無線通信を行い、
前記端末側受信部は、前記移動端末が前記第１カバーエリア内に位置する場合に、前記第１無線アクセス局から送信される前記情報を受信し、
前記端末側送信部は、前記移動端末が前記第１カバーエリア内に位置する状態から前記第２カバーエリア内に位置する状態に遷移した場合に、前記端末側受信部が前記受信した情報を前記第２無線アクセス局に送信することを特徴とする付記１３に記載の無線通信システム。
【０２１０】
（付記１５）
一以上の移動端末と、夫々が前記移動端末と無線通信を行う複数の無線アクセス局を備えた無線通信システムにおける無線アクセス局において、
他の無線アクセス局の有する情報を要求する情報取得要求を、前記移動端末のいずれかである第１移動端末に送信する送信部と、
前記情報取得要求に基づき、前記移動端末のいずれかである第２移動端末を介して、前記他の無線アクセス局から送信される前記情報を受信する受信部と、
前記受信部が受信した前記情報に対して所定のデータ処理を施す信号処理部と、
前記データ処理が施された前記情報の提供を行う情報提供部と
を備えることを特徴とする無線アクセス局。
【０２１１】
（付記１６）
一以上の移動端末と、夫々が前記移動端末と無線通信を行う複数の無線アクセス局を備えた無線通信システムにおける無線アクセス局において、
前記移動端末のいずれかである第１移動端末を介して、他の無線アクセス局の有する情報を当該無線アクセス局が情報提供することを要求する情報提供要求であって且つ前記他の無線アクセス局から送信される情報提供要求を受信する第１受信部と、
前記情報提供要求に基づき、前記移動端末のいずれかである第２移動端末を介して、前記他の無線アクセス局から送信される前記情報を受信する第２受信部と、
前記第２受信部が受信した前記情報に対して所定のデータ処理を施す信号処理部と、
前記データ処理が施された前記情報の提供を行う情報提供部と
を備えることを特徴とする無線アクセス局。
【０２１２】
（付記１７）
一以上の移動端末と、
夫々が前記移動端末と無線通信を行う第１無線アクセス局及び第２無線アクセス局と
を備えている無線通信システムにおける通信方法であって、
前記移動端末のいずれかである第１移動端末を介して、前記第１無線アクセス局の有する情報を要求する情報取得要求が、前記第２無線アクセス局から前記第１無線アクセス局に対して送信され、
前記第１移動端末を介して、前記情報取得要求が前記第１無線アクセス局によって受信され、
受信された前記情報取得要求に基づき、前記移動端末のいずれかである第２移動端末を介して、前記第１無線アクセス局から前記第２無線アクセス局に対して前記情報が送信され、
前記第２移動端末を介して、前記第１無線アクセス局から送信される前記情報が前記第２無線アクセス局によって受信され、
前記第２無線アクセス局によって、受信した前記情報に対して所定のデータ処理が施され、
前記第２無線アクセス局によって、前記データ処理が施された前記情報が提供される
ことを特徴とする通信方法。
【０２１３】
（付記１８）
一以上の移動端末と、
夫々が前記移動端末と無線通信を行う第１無線アクセス局及び第２無線アクセス局と
を備えている無線通信システムにおける通信方法であって、
前記移動端末のいずれかである第１移動端末を介して、前記第１無線アクセス局の有する情報を前記第２無線アクセス局が情報提供することを要求する情報提供要求が、前記第１無線アクセス局から前記第２無線アクセス局に対して送信され、
前記第１移動端末を介して、前記情報提供要求が前記第２無線アクセス局によって受信され、
送信された前記情報取得要求に基づき、前記移動端末のいずれかである第２移動端末を介して、前記第１無線アクセス局から前記第２無線アクセス局に対して前記情報が送信され、
前記第２移動端末を介して、前記第１無線アクセス局から送信される前記情報が前記第２無線アクセス局によって受信され、
前記第２無線アクセス局によって、受信した前記情報に対して所定のデータ処理が施され、
前記第２無線アクセス局によって、前記データ処理が施された前記情報が提供される
ことを特徴とする通信方法。
【０２１４】
本発明は、上述した実施形態に限られるものではなく、請求の範囲及び明細書全体から読み取れる発明の要旨或いは思想に反しない範囲で適宜変更可能であり、そのような変更を伴う無線通信システム、無線アクセス局及び通信方法もまた本発明の技術的範囲に含まれるものである。
【符号の説明】
【０２１５】
１  無線通信システム
２０、２１、２２、２３  無線ＡＰ
２１６、２２６、２３６  制御部
２１６１  パケット生成部
２１６２  ブロードキャスト情報生成部
２１６３  メモリ部
２１６５  信号処理部
３０  移動端末
【図１】
0005601211.tif 000002
【図２】
0005601211.tif 000003
【図３】
0005601211.tif 000004
【図４】
0005601211.tif 000005
【図５】
0005601211.tif 000006
【図６】
0005601211.tif 000007
【図７】
0005601211.tif 000008
【図８】
0005601211.tif 000009
【図９】
0005601211.tif 000010
【図１０】
0005601211.tif 000011
【図１１】
0005601211.tif 000012
【図１２】
0005601211.tif 000013
【図１３】
0005601211.tif 000014
【図１４】
0005601211.tif 000015
【図１５】
0005601211.tif 000016
【図１６】
0005601211.tif 000017
【図１７】
0005601211.tif 000018